(57)【要約】【課題】ダークマターが存在できる軌道はどこか。【解決手段】電子のラブと陽子のラブの軌道エネルギーは、8.665×10-24Jmです。ダークマターの軌道エネルギーは3.072×10-33Jmです。電子のラブと陽子のラブの軌道エネルギーは2.821×109倍です。電子のラブと陽子のラブのエネルギー密度は、8.665×10-24−2a、です。ダークマターのエネルギー密度は、6.499×10-29-2a、です。電子のラブと陽子のラブのエネルギー密度はダークマターのエネルギー密度の、1.333×105倍です。それで、ダークマターは原子や元素の軌道の中に存在できない。それで、ダークマターは星や銀河の低エネルギーの所に存在する。ダークマター1個のエネルギー＝4.468×10-31−aJとすると、10-31m時代から10-10m時代の軌道半径の速度2を作るダークマターの数は2.285×1021個です。もし、このダークマター1個の回転エネルギーがもっと小さければダークマターの数は多くなる。【選択図】図１
2015116019.tif 000002
【特許請求の範囲】
【請求項１】
ダークマターの軌道エネルギーはいくらか。
ダークマターが1秒間に作る磁気の光子のエネルギーをダークマター1個のエネルギーとする。公転軌道が10amの場合、ダークマターが1秒間に作るエネルギー＝4.468×10-31−aJ、です。ダークマターの自転軌道＝6.895×10a-3m。(この事については2012年10月15日に提出した、特願2012-227767「ダークマター2」に記した。これを表に示す)
ダークマターの軌道エネルギー＝ダークマターが1秒間に作るエネルギー×ダークマターの自転軌道＝4.468×10-31−aJ×6.895×10a-3m＝3.081×10-33Jm。
ダークマターの軌道エネルギーは、3.081×10-33Jm、です。
表１８
2015116019.tif 000024
【請求項２】
どうしてダークマターは原子や  元素の中に存在できないか。
ダークマターの軌道エネルギーは、3.072×10-33Jmであり、電子のラブや陽子のラブの軌道エネルギーは8.665×10-24Jm、です。
・電子のラブや陽子のラブの軌道エネルギーはダークマターの軌道エネルギーの何倍か。
電子のラブや陽子のラブの軌道エネルギー÷ダークマターの軌道エネルギー＝8.665×10-24Jm÷(3.072×10-33Jm)＝2.821×109(倍)
電子のラブや陽子のラブの軌道エネルギーはダークマターの軌道エネルギーの2.821×109倍です。
電子のラブや陽子のラブの軌道エネルギーはダークマターの軌道エネルギーの2.821×109倍です。それで、ダークマターは原子や  元素の中に入って存在できない。
【請求項３】
ダークマターのエネルギー密度はいくらか。電子のラブのエネルギー密度はいくらか。
エネルギー密度=ダークマターのエネルギー÷ダークマターの大きさ＝ダークマターが1秒間に作るエネルギー÷ダークマターの自転軌道＝4.468×10-31−aJ÷(6.875×10a-3m)＝6.499×10-29−2a 。
ダークマターのエネルギー密度は、6.499×10-29−2a、です。
例えば、10-14m時代では、ダークマターのエネルギー密度＝6.499×10-29−2a＝6.499×10-29＋2×14＝6.499×10-1です。
10-10mの場では、ダークマターのエネルギー密度＝6.499×10-29−2a＝6.499×10-29＋2×10＝6.499×10-9です。
・電子のラブのエネルギー密度はいくらか。
電子のラブのエネルギー密度＝電子のラブのエネルギー÷電子のラブの公転軌道＝8.665×10-24Jm÷電子のラブの公転軌道÷電子のラブの公転軌道＝8.665×10-24Jm÷102a。
電子のラブのエネルギー密度は8.665×10-24Jm÷102a、です。
【請求項４】
ダークマターのエネルギー密度は電子のラブのエネルギー密度の何倍か。
ダークマターのエネルギー密度÷電子のラブのエネルギー密度＝6.499×10-29−2a÷(8.665×10-24Jm÷102a)=7.500×10-6(倍)
ダークマターのエネルギー密度は電子のラブのエネルギー密度の7.500×10-6倍です。
電子のラブのエネルギー密度はダークマターのエネルギー密度の、1÷(7.500×10-6)＝1.333×105、倍です。
この事によって、ダークマターは原子や元素の中に存在できない。
【請求項５】
ダークマターの大きさと電子のラブの大きさの比較。
ダークマターの大きさ＝電子の公転軌道×3.14÷1公転の自転数＝電子の公転軌道×3.14÷(7.96×107)＝電子の公転軌道×3.945×10-8。
電子の公転軌道＝ダークマターの大きさ÷(3.945×10-8)＝ダークマターの大きさ×2.535×107。
ダークマターの大きさは、電子の公転軌道×3.945×10-8、です。
電子の大きさは、ダークマターの大きさ×2.535×107、です。
この事によって、ダークマターは原子や元素の中を通り抜けられる。
この事を表に示す。
・ダークマターと電子のラブと陽子のラブの比較
表１９
2015116019.tif 000025
【請求項６】
どうして、宇宙は加速膨張しているのか。
宇宙は軌道が拡大すると、宇宙の中心のブラックホールから離れるので、軌道半径の速度2は減少します。
速度2＝4.827×1027JKm÷軌道半径Km、であるからです。
それなのに、宇宙は軌道が拡大しているのに、加速している、ということは、加速する要因が存在している、ということです。
それはダークマターです。
加速度=速度2=軌道エネルギー＝ダークマター数×ダークマター1個のネルギー=ダークマター数×4.468×10-31−aJ
10-14m時代、加速度＝ダークマター数×4.468×10-31+14J＝ダークマター数×4.468×10-17J
加速度＝速度2がK2であるならば、ダークマター数＝K2÷(4.468×10-17)、です。
例えば、速度が3×102であるならば、ダークマター数＝K2÷(4.468×10-17)＝9×104÷(4.468×10-17)＝2.014×1021個、です。
【請求項７】
どうして、ダークマター数は増加するのか。
10―16m時代はブラックホールの時代で、引力が10-14m時代の108倍で、ダークマターは端の方に移動しがたい。
10-15m時代は引力が10-14m時代の104倍で、ダークマターは端の方に移動しがたい。
10-14m時代は引力が小さくなり、端の方に移動しやすくなった。
それで、現代、ダークマターは端の軌道の方に遠心力により移動し、端の軌道のダークマター数は増加した。それで、軌道エネルギーは大きく成り、加速度も大きく成った。
【請求項８】
ダークマターが軌道を走って作る電気の光子が軌道のエネルギーに成り、回転速度2を作る。この電気の光子のエネルギーはどれ位か。
電子のラブが自転して作る磁気の光子のエネルギーと、公転して作る電気の光子のエネルギーは等しい。それ故、ダークマターである電子のラブが自転して作る磁気の光子のエネルギーと、軌道を回転して作る電気の光子のエネルギーは等しいと考える。
【請求項９】
10-31m時代から10-10m時代の軌道エネルギーと速度とダークマター1個のエネルギーと軌道エネルギーを作るために必要なダークマター数はいくらか。
各々の時代に於いて、軌道エネルギー(速度2)は中心のブラックホールが作っている。これと同じ軌道エネルギー(速度2)をダークマターが作るとしたら、その時代のダークマター1個のエネルギーとダークマターの数はいくらか。
・10-20m時代は、軌道半径が５×103光年までです。
軌道半径が5×103光年の軌道エネルギー(速度2)は、4.827×1027JKm÷(5×103×9.46×1012Km)＝1.021×1011 J
速度＝(1.021×1011Km)1/2=3.194×105Km。
10-20m時代のダークマター1個のエネルギー=4.468×10-31+20J=4.468×10-11J
ダークマターの数＝1.021×1011J÷(4.468×10-11J)＝2.285×1021(個)
・10-19m時代は、軌道半径が５×104光年までです。
軌道半径が5×104光年の軌道エネルギー(速度2)は、4.827×1027JKm÷(5×104×9.46×1012Km)＝1.021×1010J
速度＝(1.021×1010Km)1/2=1.010×105Km。
10-19m時代のダークマター1個のエネルギー=4.468×10-31+19J=4.468×10-12J
ダークマターの数＝1.021×1010J÷(4.468×10-12J)＝2.285×1021(個)
・10-18m時代は、軌道半径が５×105光年までです。
軌道半径が5×105光年の軌道エネルギー(速度2)は、4.827×1027JKm÷(5×105×9.46×1012Km)＝1.021×109 J
速度＝(1.021×109Km)1/2=3.195×104Km。
10-18m時代のダークマター1個のエネルギー=4.468×10-31+18J=4.468×10-13J
ダークマターの数＝1.021×109J÷(4.468×10-13J)＝2.285×1021(個)
・10-17m時代は、軌道半径が５×106光年までです。
軌道半径が5×106光年の軌道エネルギー(速度2)は、4.827×1027JKm÷(5×106×9.46×1012Km)＝1.021×108 J
速度＝(1.021×108Km)1/2=1.010×104Km。
10-17m時代のダークマター1個のエネルギー=4.468×10-31+17J=4.468×10-14J
ダークマターの数＝1.021×108J÷(4.468×10-14J)＝2.285×1021(個)
・10-16m時代は、軌道半径が５×107光年までです。
軌道半径が5×107光年の軌道エネルギー(速度2)は、4.827×1027JKm÷(5×107×9.46×1012Km)＝1.021×107J
速度＝(1.021×107Km)1/2=3.195×103Km。
10-16m時代のダークマター1個のエネルギー=4.468×10-31+16J=4.468×10-15J
ダークマターの数＝1.021×107J÷(4.468×10-15J)＝2.285×1021(個)
・10-15m時代は、軌道半径が５×108光年までです。
軌道半径が5×108光年の軌道エネルギー(速度2)は、4.827×1027JKm÷(5×108×9.46×1012Km)＝1.021×106J
速度＝(1.021×106Km)1/2=1.010×103Km。
10-15m時代のダークマター1個のエネルギー=4.468×10-31+15J=4.468×10-16J
ダークマターの数＝1.021×106J÷(4.468×10-16J)＝2.285×1021(個)
・10-14m時代は、軌道半径が５×109光年までです。
軌道半径が5×109光年の軌道エネルギー(速度2)は、4.827×1027JKm÷(5×109×9.46×1012Km)＝1.021×105J
速度＝(1.021×105Km)1/2=3.195×102Km。
10-14m時代のダークマター1個のエネルギー=4.468×10-31+14J=4.468×10-17J
ダークマターの数＝1.021×105J÷(4.468×10-17J)＝2.285×1021(個)
・10-13m時代は、軌道半径が５×1010光年までです。
軌道半径が5×1010光年の軌道エネルギー(速度2)は、4.827×1027JKm÷(5×1010×9.46×1012Km)＝1.021×104J
速度＝(1.021×104Km)1/2=1.010×102Km。
10-13m時代のダークマター1個のエネルギー=4.468×10-31+13J=4.468×10-18J
ダークマターの数＝1.021×104J÷(4.468×10-18J)＝2.285×1021(個)
・10-12m時代は、軌道半径が５×1011光年までです。
軌道半径が5×1011光年の軌道エネルギー(速度2)は、4.827×1027JKm÷(5×1011×9.46×1012Km)＝1.021×103J
速度＝(1.021×103Km)1/2=3.195×10Km。
10-12m時代のダークマター1個のエネルギー=4.468×10-31+12J=4.468×10-19J
ダークマターの数＝1.021×103J÷(4.468×10-19J)＝2.285×1021(個)
・10-11m時代は、軌道半径が５×1012光年までです。
軌道半径が5×1012光年の軌道エネルギー(速度2)は、4.827×1027JKm÷(5×1012×9.46×1012Km)＝1.021×102J
速度＝(1.021×102Km)1/2=1.010×10Km。
10-11m時代のダークマター1個のエネルギー=4.468×10-31+11J=4.468×10-20J
ダークマターの数＝1.021×102J÷(4.468×10-20J)＝2.285×1021(個)
・10-10m時代は、軌道半径が５×1013光年までです。
軌道半径が5×1013光年の軌道エネルギー(速度2)は、4.827×1027JKm÷(5×1013×9.46×1012Km)＝1.021×10J
速度＝(1.021×10Km)1/2=3.195Km。
10-10m時代のダークマター1個のエネルギー=4.468×10-31+10J=4.468×10-21J
ダークマターの数＝1.021×10J÷(4.468×10-21J)＝2.285×1021(個)
・秒速が3×105Kmに成る時代はいつか。
ダークマターの数は2.285×1021個ですから、
速度2＝ダークマター1個のエネルギー×ダークマターの数＝4.468×10-31−aJ×2.285×1021=9×1010J
10-31−aJ＝9×1010J÷(4.468×2.285×1021)=9.795×10-13＝10-13+0.9910＝10-12,009
-31 &#8211;a=-12.009
a=12.009-31=-18.991
10-18.991=10 -19+0.009=10-19
秒速が3×105Kmに成る時代は、10-19m時代です。
・秒速が光速2に成る時代はいつか。
ダークマターの数は2.285×1021個ですから、
速度2＝ダークマター1個のエネルギー×ダークマターの数＝4.468×10-31−aJ×2.285×1021=(9×1010)2J=81×1020
10-31−a＝81×1020÷(4.468×2.285×1021)=7.934×10-1
10−a=7.934×10-1＋31=7.934×1030=10０．８９９５×1030=10３０．８９９５
a=-30.8995=-31+0.1005
10-31+0.1005=1.260×10-31
秒速が光速2に成る時代は1.260×10-31m時代です。
この時代はインフレーション(ビッグバン)が始まった時代です。
この事を表に示す。
・10-31m時代から10-10m時代の軌道エネルギーと速度とダークマター1個のエネルギーと軌道エネルギーを作るために必要なダークマター数。
表２０
2015116019.tif 000026
2015116019.tif 000027
この表により理解できる事
1．各々の時代の速度を作るために、同じ個数、2.285×1021個のダークマターが働いている。
2．ダークマターは各々の時代の速度2を作るために秩序正しく働いている。
【請求項１０】
現代、宇宙の半径は、5×109光年であるとする。(この距離は2013年2月11日に特願2013-023929の「請求項2」に記した)  各軌道半径の速度と、その速度と同じ速度をダークマターが作るとするならば、何個のダークマターであるか。(ダークマター1個のエネルギーを一定とする場合)
・半径109光年の軌道エネルギー＝4.827×1027JKm÷(109×9.46×1012Km)=5.103×105J
速度＝(5.103×105)1/2=7.144×102Km
10-14m時代のダークマター1個のエネルギー＝4.468×10-31+14J=4.468×10-17J
ダークマターの数＝5.103×105J÷(4.468×10-17J)＝1.142×1022個
・半径2×109光年の軌道エネルギー＝4.827×1027JKm÷(2×109×9.46×1012Km)=2.551×105J
速度＝(2.551×105)1/2=5.015×102Km
ダークマターの数＝2.551×105J÷(4.468×10-17J)＝5.709×1021個
・半径3×109光年の軌道エネルギー＝4.827×1027JKm÷(3×109×9.46×1012Km)=1.701×105J
速度＝(1.701×105)1/2=4.124×102Km
ダークマターの数＝1.701×105J÷(4.468×10-17J)＝3.807×1021個
・半径4×109光年の軌道エネルギー＝4.827×1027JKm÷(4×109×9.46×1012Km)=1.276×105J
速度＝(1.276×105)1/2=3.572×102Km
ダークマターの数＝1.276×105J÷(4.468×10-17J)＝2.856×1021個
・半径5×109光年の軌道エネルギー＝4.827×1027JKm÷(5×109×9.46×1012Km)=1.021×105J
速度＝(1.021×105)1/2=3.195×102Km
ダークマターの数＝1.021×105J÷(4.468×10-17J)＝2.285×1021個
この事を表に示す。
・軌道半径を5×109光年とする場合、軌道エネルギーと速度と、その軌道エネルギーを作るために必要なダークマター数。(ダークマター1個のエネルギーを一定とする場合)
表２１
2015116019.tif 000028
この表により理解できる事。
１．軌道半径が小さい軌道のエネルギーは高いので、このエネルギーを作るためには、より多くのダークマターが必要です。但しこれは、ダークマターがどの軌道でも同じエネルギーであると考える場合です。
【請求項１１】
各々の軌道が同じ速度で回転する場合、ダークマターの数はどのようであるか。
軌道の速度と同じ速度を作るために必要なダークマターの数を求めたので、各々の軌道が同じ速度で回転する場合、ダークマターの数はこの逆になる。
即ち、軌道半径が109光年のダークマターの数：軌道半径が2×109光年のダークマターの数：軌道半径が3×109光年のダークマターの数：軌道半径が4×109光年のダークマターの数：軌道半径が5×109光年のダークマターの数＝2.285×1021個：2.856×1021個：3.807×1021個：5.709×1021個：1.142×1022個、です。
各々の軌道が同じ速度で回転する場合、ダークマターの数は、軌道半径が109光年のダークマターの数：軌道半径が2×109光年のダークマターの数：軌道半径が3×109光年のダークマターの数：軌道半径が4×109光年のダークマターの数：軌道半径が5×109光年のダークマターの数＝2.285×1021個：2.856×1021個：3.807×1021個：5.709×1021個：1.142×1022個、です。
【請求項１２】
5×109光年の軌道が加速するためにはどれ位ダークマターが必要か。
宇宙の速度は同じだとする。その場合、各軌道には上記のダークマター数が存在する。それで、5×109光年の軌道が加速するためには、1.142×1022個以上のダークマターが必要です。
【請求項１３】
もし、5×109光年の軌道に、1.142×1022個のダークマターだけが存在する場合、ダークマターが作る速度はいくらか。
軌道エネルギー＝ダークマターの数×ダークマター1個のエネルギー＝1.142×1022個×4.468×10-17J=5.102×105J
速度＝(5.102×105)1/2=7.143×102Km
もし、5×109光年の軌道に、1.142×1022個のダークマターだけが存在する場合、ダークマターが作る速度は7.143×102Kmです。
【請求項１４】
10-14m時代のダークマターの速度を2×102Kmとすると、それは何個のダークマターで作られるか。
10-14m時代のダークマター1個のエネルギーは、4.468×10-31+14J＝4.468×10-17J、です。
ダークマターの数＝速度2÷ダークマター1個のエネルギー＝4×104J÷(4.468×10-17J)＝8.953×1020(個)
10-14m時代のダークマターの速度を2×102Kmとすると、それは8.953×1020個のダークマターで作られる。
【請求項１５】
ダークマター1個のエネルギーが中央程大きいとし、5：4：3：2：1であるとする。軌道半径109光年から5×109光年の軌道エネルギーと同じ軌道エネルギーを作るに必要なダークマターの数はいくらか。
5×109光年の軌道のダークマター１個のエネルギーを4.468×10-17Jとする場合。
109光年の軌道のダークマター１個のエネルギーは、5×4.468×10-17J。
2×109光年の軌道のダークマター１個のエネルギーは、4×4.468×10-17J。
3×109光年の軌道のダークマター１個のエネルギーは、3×4.468×10-17J。
4×109光年の軌道のダークマター１個のエネルギーは、2×4.468×10-17J。
5×109光年の軌道のダークマター１個のエネルギーは、4.468×10-17J。
それで、
109光年の軌道のダークマター数＝軌道エネルギー÷ダークマター１個のエネルギー＝5.103×105J÷(5×4.468×10-17J)＝2.284×1021個
2×109光年の軌道のダークマター数＝軌道エネルギー÷ダークマター１個のエネルギー＝2.551×105J÷(4×4.468×10-17J)＝1.427×1021個
3×109光年の軌道のダークマター数＝軌道エネルギー÷ダークマター１個のエネルギー＝1.701×105J÷(3×4.468×10-17J)＝1.269×1021個
4×109光年の軌道のダークマター数＝軌道エネルギー÷ダークマター１個のエネルギー＝1.276×105J÷(2×4.468×10-17J)＝1.428×1021個
5×109光年の軌道のダークマター数＝軌道エネルギー÷ダークマター１個のエネルギー＝1.021×105J ÷(1×4.468×10-17J)＝2.285×1021個
この事を表に示す。
・ダークマター1個のエネルギーが中央程大きいとし、5：4：3：2：1であるとする。軌道半径の軌道エネルギーと同じ軌道エネルギーを作るに必要なダークマターの数。
表２２
2015116019.tif 000029
【請求項１６】
特願2013-214732の「請求項15」で、宇宙の中央のブラックホールから地球までの距離は142.066×108光年であることを知った。U1.27が存在する軌道の速度と地球が存在する軌道の速度はいくらか。
大クエーサー群のU1.27の最大の長さは40.4×108光年である事を考えた時、宇宙の中央のブラックホールから地球までの距離は142.006×108光年であることを知った。地球の軌道半径は142.006×108光年です。
・U1.27が存在する軌道半径は、12.866×108光年です。U1.27が存在する軌道の速度はいくらか。
軌道エネルギー=速度2＝4.827×1027JKm÷(12.866×108×9.46×1012Km)=3.966×105J
速度＝(3.966×105J )1/2=6.298×102Km
U1.27が存在する軌道の速度は、6.298×102Kmです。
・地球が存在する軌道半径は、142.006×108光年です。この軌道の速度はいくらか。
軌道エネルギー=速度2＝4.827×1027JKm÷(142.066×108×9.46×1012Km)=3.592×104J
速度＝(3.592×104 )1/2=1.895×102Km
地球が存在する軌道半径は、142.006×108光年です。この軌道の速度は、1.895×102Kmです。
この事から、最も遠くに存在するU1.27の軌道半径12.866×108光年の軌道速度と、地球が存在する軌道半径142.006×108光年の軌道速度はそんなに変わらない。
この事を表に示す。
表２３
2015116019.tif 000030
【請求項１７】
軌道半径が9×107光年から2×1011光年までの中央のブラックホールが作る軌道エネルギーと、その軌道エネルギーと同じ軌道エネルギーを作るダークマターの数はいくらか。
・10―17m時代。軌道半径は9×10７光年の場合。
軌道エネルギー＝速度2＝4.827×1027JKm÷(9×10７×9.46×1012Km)=5.669×10６J
速度＝(5.669×10６J)1/2=2.381×10３Km
ダークマターの個数＝軌道エネルギー÷ダークマター1個のエネルギー＝5.669×106J÷(2×4.468×10-15J)＝6.344×1020(個)
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマターの個数＝軌道エネルギー÷ダークマター1個のエネルギー＝5.103×106J÷(4.468×10-15J)＝1.142×1021(個)
・10―16m時代。軌道半径は2×108光年の場合。
軌道エネルギー＝速度2＝4.827×1027JKm÷(2×108×9.46×1012Km)=2.551×106J
速度＝(2.551×106J)1/2=1.597×103Km
ダークマターの個数＝軌道エネルギー÷ダークマター1個のエネルギー＝2.551×106J÷(9×4.468×10-16J)＝6.344×1020(個)
・10―16m時代。軌道半径は3×108光年の場合。
軌道エネルギー＝速度2＝4.827×1027JKm÷(3×108×9.46×1012Km)=1.701×106J
速度＝(1.701×106J)1/2=1.304×103Km
ダークマターの個数＝軌道エネルギー÷ダークマター1個のエネルギー＝1.701×106J÷(8×4.468×10-16J)＝4.759×1020(個)
・10―16m時代。軌道半径は4×108光年の場合。
軌道エネルギー＝速度2＝4.827×1027JKm÷(4×108×9.46×1012Km)=1.276×106J
速度＝(1.276×106J)1/2=1.130×103Km
ダークマターの個数＝軌道エネルギー÷ダークマター1個のエネルギー＝1.276×106J÷(7×4.468×10-16J)＝4.080×1020(個)
・10―16m時代。軌道半径は5×108光年の場合。
軌道エネルギー＝速度2＝4.827×1027JKm÷(5×108×9.46×1012Km)=1.021×106J
速度＝(1.021×106J)1/2=1.010×103Km
ダークマターの個数＝軌道エネルギー÷ダークマター1個のエネルギー＝1.021×106J÷(6×4.468×10-16J)＝3.809×1020(個)
・10―16m時代。軌道半径は6×108光年の場合。
軌道エネルギー＝速度2＝4.827×1027JKm÷(6×108×9.46×1012Km)=8.504×105J
速度＝(8.504×105J)1/2=9.222×102Km
ダークマターの個数＝軌道エネルギー÷ダークマター1個のエネルギー＝8.504×105J÷(5×4.468×10-16J)＝3.807×1020(個)
・10―16m時代。軌道半径は7×108光年の場合。
軌道エネルギー＝速度2＝4.827×1027JKm÷(7×108×9.46×1012Km)=7.289×105J
速度＝(7.289×105J)1/2=8.538×102Km
ダークマターの個数＝軌道エネルギー÷ダークマター1個のエネルギー＝7.289×105J÷(4×4.468×10-16J)＝4.078×1020(個)
・10―16m時代。軌道半径は8×108光年の場合。
軌道エネルギー＝速度2＝4.827×1027JKm÷(8×108×9.46×1012Km)=6.378×105J
速度＝(6.378×105J)1/2=7.986×102Km
ダークマターの個数＝軌道エネルギー÷ダークマター1個のエネルギー＝6.378×105J÷(3×4.468×10-16J)＝4.758×1020(個)
・10―16m時代。軌道半径は9×108光年の場合。
軌道エネルギー＝速度2＝4.827×1027JKm÷(9×108×9.46×1012Km)=5.669×105J
速度＝(5.669×105J)1/2=7.529×102Km
ダークマターの個数＝軌道エネルギー÷ダークマター1個のエネルギー＝5.669×105J÷(2×4.468×10-16J)＝6.344×1020(個)
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマターの個数＝軌道エネルギー÷ダークマター1個のエネルギー＝5.103×105J÷(4.468×10-16J)＝1.142×1021(個)
・10―15m時代。軌道半径は2×109光年の場合。
軌道エネルギー＝速度2＝4.827×1027JKm÷(2×109×9.46×1012Km)=2.551×105J
速度＝(2.551×105J)1/2=5.051×102Km
ダークマターの個数＝軌道エネルギー÷ダークマター1個のエネルギー＝2.551×105J÷(9×4.468×10-17J)＝6.344×1020(個)
・10―15m時代。軌道半径は3×109光年の場合。
軌道エネルギー＝速度2＝4.827×1027JKm÷(3×109×9.46×1012Km)=1.701×105J
速度＝(1.701×105J)1/2=4.124×102Km
ダークマターの個数＝軌道エネルギー÷ダークマター1個のエネルギー＝1.701×105J÷(8×4.468×10-17J)＝4.759×1020(個)
・10―15m時代。軌道半径は4×109光年の場合。
軌道エネルギー＝速度2＝4.827×1027JKm÷(4×109×9.46×1012Km)=1.276×105J
速度＝(1.276×105J)1/2=3.572×102Km
ダークマターの個数＝軌道エネルギー÷ダークマター1個のエネルギー＝1.276×105J÷(7×4.468×10-17J)＝4.080×1020(個)
・10―15m時代。軌道半径は5×109光年の場合。
軌道エネルギー＝速度2＝4.827×1027JKm÷(5×109×9.46×1012Km)=1.021×105J
速度＝(1.021×105J)1/2=3.195×102Km
ダークマターの個数＝軌道エネルギー÷ダークマター1個のエネルギー＝1.021×105J÷(6×4.468×10-17J)＝3.809×1020(個)
・10―15m時代。軌道半径は6×109光年の場合。
軌道エネルギー＝速度2＝4.827×1027JKm÷(6×109×9.46×1012Km)=8.504×104J
速度＝(8.504×104J)1/2=2.916×102Km
ダークマターの個数＝軌道エネルギー÷ダークマター1個のエネルギー＝8.504×104J÷(5×4.468×10-17J)＝3.807×1020(個)
・10―15m時代。軌道半径は7×109光年の場合。
軌道エネルギー＝速度2＝4.827×1027JKm÷(7×109×9.46×1012Km)=7.289×104J
速度＝(7.289×104J)1/2=2.700×102Km
ダークマターの個数＝軌道エネルギー÷ダークマター1個のエネルギー＝7.289×104J÷(4×4.468×10-17J)＝4.078×1020(個)
・10―15m時代。軌道半径は8×109光年の場合。
軌道エネルギー＝速度2＝4.827×1027JKm÷(8×109×9.46×1012Km)=6.378×104J
速度＝(6.378×104J)1/2=2.525×102Km
ダークマターの個数＝軌道エネルギー÷ダークマター1個のエネルギー＝6.378×104J÷(3×4.468×10-17J)＝4.758×1020(個)
・10―15m時代。軌道半径は9×109光年の場合。
軌道エネルギー＝速度2＝4.827×1027JKm÷(9×109×9.46×1012Km)=5.669×104J
速度＝(5.669×104J)1/2=2.381×102Km
ダークマターの個数＝軌道エネルギー÷ダークマター1個のエネルギー＝5.669×104J÷(2×4.468×10-17J)＝6.344×1020(個)
・10―14m時代。軌道半径は1010光年の場合。
軌道エネルギー＝速度2＝4.827×1027JKm÷(1010×9.46×1012Km)=5.103×104J
速度＝(5.103×104J)1/2=2.259×102Km
ダークマターの個数＝軌道エネルギー÷ダークマター1個のエネルギー＝5.103×104J÷(4.468×10-17J)＝1.142×1021(個)
・10―14m時代。軌道半径は1.42×1010光年の場合。
軌道エネルギー＝速度2＝4.827×1027JKm÷(1.42×1010×9.46×1012Km)=3.593×104J
速度＝(3.593×104J)1/2=1.896×102Km
ダークマターの個数＝軌道エネルギー÷ダークマター1個のエネルギー＝3.593×104J÷(9.58×4.468×10-18J)＝8.394×1020(個)
・10―14m時代。軌道半径は2×1010光年の場合。
軌道エネルギー＝速度2＝4.827×1027JKm÷(2×1010×9.46×1012Km)=2.551×104J
速度＝(2.551×104J)1/2=1.597×102Km
ダークマターの個数＝軌道エネルギー÷ダークマター1個のエネルギー＝2.551×104J÷(9×4.468×10-18J)＝6.344×1020(個)
・これから未来の宇宙はどのようであるか。未来の軌道エネルギーと速度と、その速度を作るために必要なダークマターの数はいくらか。(ダークマター1個のエネルギーは軌道の拡大に従い減少する場合。)
・10―14m時代。軌道半径は2×1010光年の場合。
軌道エネルギー＝速度2＝4.827×1027JKm÷(2×1010×9.46×1012Km)=2.551×104J
速度＝(2.551×104J)1/2=1.597×102Km
ダークマターの個数＝軌道エネルギー÷ダークマター1個のエネルギー＝2.551×104J÷(9×4.468×10-18J)＝6.344×1020(個)
・10―14m時代。軌道半径は3×1010光年の場合。
軌道エネルギー＝速度2＝4.827×1027JKm÷(3×1010×9.46×1012Km)=1.701×104J
速度＝(1.701×104J)1/2=1.304×102Km
ダークマターの個数＝軌道エネルギー÷ダークマター1個のエネルギー＝1.701×104J÷(8×4.468×10-18J)＝4.759×1020(個)
・10―14m時代。軌道半径は4×1010光年の場合。
軌道エネルギー＝速度2＝4.827×1027JKm÷(4×1010×9.46×1012Km)=1.276×104J
速度＝(1.276×104J)1/2=1.130×102Km
ダークマターの個数＝軌道エネルギー÷ダークマター1個のエネルギー＝1.276×104J÷(7×4.468×10-18J)＝4.080×1020(個)
・10―14m時代。軌道半径は5×1010光年の場合。
軌道エネルギー＝速度2＝4.827×1027JKm÷(5×1010×9.46×1012Km)=1.021×104J
速度＝(1.021×104J)1/2=1.010×102Km
ダークマターの個数＝軌道エネルギー÷ダークマター1個のエネルギー＝1.021×104J÷(6×4.468×10-18J)＝3.809×1020(個)
・10―14m時代。軌道半径は6×1010光年の場合。
軌道エネルギー＝速度2＝4.827×1027JKm÷(6×1010×9.46×1012Km)=8.504×103J
速度＝(8.504×103J)1/2=9.222×10Km
ダークマターの個数＝軌道エネルギー÷ダークマター1個のエネルギー＝8.504×103J÷(5×4.468×10-18J)＝3.807×1020(個)
・10―14m時代。軌道半径は7×1010光年の場合。
軌道エネルギー＝速度2＝4.827×1027JKm÷(7×1010×9.46×1012Km)=7.289×103J
速度＝(7.289×103J)1/2=8.538×10Km
ダークマターの個数＝軌道エネルギー÷ダークマター1個のエネルギー＝7.289×103J÷(4×4.468×10-18J)＝4.078×1020(個)
・10―14m時代。軌道半径は8×1010光年の場合。
軌道エネルギー＝速度2＝4.827×1027JKm÷(8×1010×9.46×1012Km)=6.378×103J
速度＝(6.378×103J)1/2=7.986×10Km
ダークマターの個数＝軌道エネルギー÷ダークマター1個のエネルギー＝6.378×103J÷(3×4.468×10-18J)＝4.758×1020(個)
・10―14m時代。軌道半径は9×1010光年の場合。
軌道エネルギー＝速度2＝4.827×1027JKm÷(9×1010×9.46×1012Km)=5.669×103J
速度＝(5.669×103J)1/2=7.529×10Km
ダークマターの個数＝軌道エネルギー÷ダークマター1個のエネルギー＝5.669×103J÷(2×4.468×10-18J)＝6.344×1020(個)
・10―13m時代。軌道半径は1011光年の場合。
軌道エネルギー＝速度2＝4.827×1027JKm÷(1011×9.46×1012Km)=5.103×103J
速度＝(5.103×103J)1/2=7.144×10Km
ダークマターの個数＝軌道エネルギー÷ダークマター1個のエネルギー＝5.103×103J÷(4.468×10-18J)＝1.142×1021(個)
・10―13m時代。軌道半径は2×1011光年の場合。
軌道エネルギー＝速度2＝4.827×1027JKm÷(2×1011×9.46×1012Km)=2.551×103J
速度＝(2.551×103J)1/2=1.597×10Km
ダークマターの個数＝軌道エネルギー÷ダークマター1個のエネルギー＝2.551×103J÷(9×4.468×10-19J)＝6.344×1020(個)
この事を表に示す。
・軌道半径が9×10７光年から2×1011光年までの軌道エネルギーと速度とその軌道エネルギーを作るために必要なダークマターの数。(ダークマター1個のエネルギーは軌道半径の拡大に従い減少する場合。)
表２４
2015116019.tif 000031
2015116019.tif 000032
・未来の軌道エネルギーと速度とその軌道エネルギーを作るために必要なダークマターの数。(ダークマター1個のエネルギーは軌道半径の拡大に従い減少する場合。)
2015116019.tif 000033
この表により理解できる事。
1．時代が進むにつれて、軌道エネルギーは小さくなる。そして速度は遅くなる。
2．時代が進むにつれて、ダークマター1個のエネルギーは小さくなる。
3．軌道のエネルギー―と同じエネルギーを作るダークマターの数は3.807×1020個から1.142×1021個である。
4．しかし、現代は加速しているのですから、実際はこのようにならないはずです。
【請求項１８】
ダークマターの数×ダークマター1個のエネルギーが軌道のエネルギーに成り、ダークマター1個のエネルギーが軌道半径の拡大に従い減少する場合のダークマター数。これを求める一般式はいくらか。
・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
【請求項１９】
もし、宇宙の軌道速度が同じであるとすると、ダークマターの数はどのようになるか。
この場合、軌道のエネルギー―と同じエネルギーを作るダークマターの数は3.807×1020個から1.142×1021個であり、不規則であるが、各軌道半径のダークマター1個のエネルギーを軌道が拡大するとダークマター1個のエネルギーは小さくなると考えているので、軌道の速度をダークマターの数では簡単に規定できない。
【請求項２０】
軌道半径が108光年から2×1010光年までについて、10am時代、ダークマターの数×ダークマター1個のエネルギーが10a+24光年の軌道のエネルギーに成り、ダークマター1個のエネルギーが軌道半径の拡大に従い減少し、ダークマターの数が軌道半径の拡大に従い増加するならば、ダークマターの数はどのようであるか。
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマター1個のエネルギー＝4.468×10-31--aJ=4.468×10-15J
ダークマターの個数＝軌道エネルギー÷ダークマター1個のエネルギー＝5.103×106J÷(4.468×10-15J)＝1.142×1021(個)
・10―16m時代。軌道半径は2×108光年の場合。
ダークマター1個のエネルギー＝9×4.468×10-16J
ダークマターの個数＝5.103×106J÷(9×4.468×10-16J)＝1.269×1021(個)
・10―16m時代。軌道半径は3×108光年の場合。
ダークマター1個のエネルギー＝8×4.468×10-16J
ダークマターの個数＝5.103×106J÷(8×4.468×10-16J)＝1.428×1021(個)
・10―16m時代。軌道半径は4×108光年の場合。
ダークマター1個のエネルギー＝7×4.468×10-16J
ダークマターの個数＝5.103×106J÷(7×4.468×10-16J)＝1.632×1021(個)
・10―16m時代。軌道半径は5×108光年の場合。
ダークマター1個のエネルギー＝6×4.468×10-16J
ダークマターの個数＝5.103×106J÷(6×4.468×10-16J)＝1.904×1021(個)
・10―16m時代。軌道半径は6×108光年の場合。
ダークマター1個のエネルギー＝5×4.468×10-16J
ダークマターの個数＝5.103×106J÷(5×4.468×10-16J)＝2.284×1021(個)
・10―16m時代。軌道半径は7×108光年の場合。
ダークマター1個のエネルギー＝4×4.468×10-16J
ダークマターの個数＝5.103×106J÷(4×4.468×10-16J)＝2.855×1021(個)
・10―16m時代。軌道半径は8×108光年の場合。
ダークマター1個のエネルギー＝3×4.468×10-16J
ダークマターの個数＝5.103×106J÷(3×4.468×10-16J)＝3.807×1021(個)
・10―16m時代。軌道半径は9×108光年の場合。
ダークマター1個のエネルギー＝2×4.468×10-16J
ダークマターの個数＝5.103×106J÷(2×4.468×10-16J)＝5.711×1021(個)
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマター1個のエネルギー＝4.468×10-16J
ダークマターの個数＝軌道エネルギー÷ダークマター1個のエネルギー＝5.103×105J÷(4.468×10-16J)＝1.142×1021(個)
・10―15m時代。軌道半径は2×109光年の場合。
ダークマター1個のエネルギー＝9×4.468×10-17J
ダークマターの数＝5.103×105J÷(9×4.468×10-17J)＝1.269×1021(個)
・10―15m時代。軌道半径は3×109光年の場合。
ダークマター1個のエネルギー＝8×4.468×10-17J
ダークマターの数＝5.103×105J÷(8×4.468×10-17J)＝1.428×1021(個)
・10―15m時代。軌道半径は4×109光年の場合。
ダークマター1個のエネルギー＝7×4.468×10-17J
ダークマターの数＝5.103×105J÷(7×4.468×10-17J)＝1.632×1021(個)
・10―15m時代。軌道半径は5×109光年の場合。
ダークマター1個のエネルギー＝6×4.468×10-17J
ダークマターの数＝5.103×105J÷(6×4.468×10-17J)＝1.904×1021(個)
・10―15m時代。軌道半径は6×109光年の場合。
ダークマター1個のエネルギー＝5×4.468×10-17J
ダークマターの数＝5.103×105J÷(5×4.468×10-17J)＝2.284×1021(個)
・10―15m時代。軌道半径は7×109光年の場合。
ダークマター1個のエネルギー＝4×4.468×10-17J
ダークマターの数＝5.103×105J÷(4×4.468×10-17J)＝2.855×1021(個)
・10―15m時代。軌道半径は8×109光年の場合。
ダークマター1個のエネルギー＝3×4.468×10-17J
ダークマターの数＝5.103×105J÷(3×4.468×10-17J)＝3.807×1021(個)
・10―15m時代。軌道半径は9×109光年の場合。
ダークマター1個のエネルギー＝2×4.468×10-17J
ダークマターの数＝5.103×105J÷(2×4.468×10-17J)＝5.711×1021(個)
・10―14m時代。軌道半径は1010光年の場合。        
軌道エネルギー＝速度2＝4.827×1027JKm÷(1010×9.46×1012Km)=5.103×104J
速度＝(5.103×104J)1/2=2.259×102Km
ダークマター1個のエネルギー＝4.468×10-17J
ダークマターの個数＝軌道エネルギー÷ダークマター1個のエネルギー＝5.103×104J÷(4.468×10-17J)＝1.142×1021(個)
・10―14m時代。軌道半径は1.42×1010光年の場合。
ダークマター1個のエネルギー＝9.58×4.468×10-18J
ダークマターの数＝5.103×104J÷(9.58×4.468×10-18J)＝1.192×1021(個)
・10―14m時代。軌道半径は2×1010光年の場合。
ダークマター1個のエネルギー＝9×4.468×10-18J
ダークマターの数＝5.103×104J÷(9×4.468×10-18J)＝1.269×1021(個)
この事を表に示す。
・10am時代、ダークマターの数×ダークマター1個のエネルギーが10a+24光年の軌道のエネルギーに成り、ダークマター1個のエネルギーが軌道半径の拡大に従い減少し、ダークマターの数が軌道半径の拡大に従い増加する場合のダークマターの数。
表２５
2015116019.tif 000034
2015116019.tif 000035
この表から理解できる事。
１．軌道エネルギー＝ダークマター1個のエネルギー×ダークマターの数、ですから、軌道エネルギー＝速度2が一定の場合、ダークマター1個のエネルギーとダークマターの数は反比例する。
【請求項２１】
10am時代、ダークマターの数×ダークマター1個のエネルギーが軌道半径10a+24光年の軌道エネルギーに成り、ダークマター1個のエネルギーが軌道半径の拡大に従い減少し、ダークマターの数が軌道半径の拡大に従い増加する場合のダークマター数。この場合の一般式はどのようであるか。
・10am時代で、軌道半径がA×10a+24光年の場合。
軌道エネルギー＝4.827×1027JKm÷(10a+24×9.46×1012Km)=5.103×10-10−aJ
ダークマター1個のエネルギー＝(11-A)(4.468×10-32-a)J
ダークマターの数＝5.103×10-10-aJ÷｛(11-A)(4.468×10-32-a)J｝=1.142×1022÷(11-A)
ダークマター1個のエネルギー×ダークマターの数＝(11-A)(4.468×10-32-a)J×1.142×1022÷(11-A)＝5.098×10-10−aJ
【請求項２２】
ダークマターの数×ダークマター1個のエネルギーが軌道のエネルギーに成り、ダークマター1個のエネルギーが軌道半径の拡大に従い減少し、ダークマターの数が軌道半径の拡大に従い増加する場合のダークマター数。これを求める一般式はいくらか。
・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
ダークマター1個のエネルギー×ダークマターの数＝(11-A)(4.468×10-32-a)J×1.142×1022÷A÷(11-A)＝5.103×10-10−a÷AJ
【請求項２３】
2012年1月27日に提出した、特願2012-286352、に於いて、軌道のダークマターの数＝2.740×1025個として計算した。2.740×1025個は、軌道半径の1/5に存在する軌道のダークマターの数です。軌道半径の1/10に存在する軌道のダークマターの数は、2.740×1025個÷2＝1.37×1025個です。それで、このダークマターが軌道エネルギーを作っているとするならば、ダークマターが1秒間に作る電気の光子のエネルギーはいくらか。この場合、ダークマターが1秒間に作る電気の光子のエネルギーをダークマター1個の回転エネルギーとする。
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマター1個の回転エネルギー＝軌道エネルギー÷ダークマターの個数＝5.103×106J÷(1.37×1025個)＝3.725×10-19J
・10―16m時代。軌道半径は2×108光年の場合。
ダークマター1個の回転エネルギー＝軌道エネルギー÷ダークマターの個数＝5.103×106J÷(1.37×1025個)＝3.725×10-19J
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマター1個の回転エネルギー＝軌道エネルギー÷ダークマターの個数＝5.103×105J÷(1.37×1025個)＝3.725×10-20J
・10―15m時代。軌道半径は2×109光年の場合。
ダークマター1個の回転エネルギー＝軌道エネルギー÷ダークマターの個数＝5.103×105J÷(1.37×1025個)＝3.725×10-20J
・10―14m時代。軌道半径は1010光年の場合。        
軌道エネルギー＝速度2＝4.827×1027JKm÷(1010×9.46×1012Km)=5.103×104J
速度＝(5.103×104J)1/2=2.259×102Km
ダークマター1個の回転エネルギー＝軌道エネルギー÷ダークマターの個数＝5.103×104J÷(1.37×1025個)＝3.725×10-21J
・10―14m時代。軌道半径は2×1010光年の場合。
ダークマター1個の回転エネルギー＝軌道エネルギー÷ダークマターの個数＝5.103×104J÷(1.37×1025個)＝3.725×10-21J
この一般式は、ダークマター1個の回転エネルギー＝3.725×10-35-aJ、です。
この事を表に示す。
・軌道半径の1/10に存在する軌道のダークマターの数は、2.740×1025個÷2＝1.37×1025個です。それで、このダークマターが軌道エネルギーを作っている場合の、ダークマターが1秒間に作る電気の光子のエネルギー。
表２６
2015116019.tif 000036
【請求項２４】
ダークマターの回転エネルギーとダークマターのエネルギーの比較。
「請求項8」で、電子のラブが自転して作る磁気の光子のエネルギーと、公転して作る電気の光子のエネルギーは等しい。それ故、ダークマターである電子のラブが自転して作る磁気の光子のエネルギーと、軌道を回転して作る電気の光子のエネルギーは等しいと考えた。そのダークマターのエネルギーは4.468×10-31−aJです。「請求項20」では、軌道半径の1/10に存在する軌道のダークマターの数は、2.740×1025個÷2＝1.37×1025個です。それで、この1.37×1025個のダークマターが軌道エネルギーを作っていると考え、このエネルギーを、ダークマターが1秒間に作る電気の光子のエネルギーとし、ダークマターの回転エネルギーとした。そのダークマターの回転エネルギーは3.725×10-35-aJです。ダークマターの回転エネルギーとダークマターのエネルギーの比較はどのようであるか。
ダークマターの回転エネルギー＝3.725×10-35-aJ。
ダークマターのエネルギー＝4.468×10-31−aJ。
ダークマターのエネルギー÷ダークマターの回転エネルギー＝4.468×10-31−aJ÷(3.725×10-35-aJ)＝1.199×104
ダークマターの回転エネルギー÷ダークマターのエネルギー＝3.725×10-35-aJ÷(4.468×10-31−aJ)＝8.337×10―5
ダークマターのエネルギーはダークマターの回転エネルギーの1.199×104倍です。
ダークマターの回転エネルギーはダークマターのエネルギーの8.337×10―5倍です。
表２７
2015116019.tif 000037
【請求項２５】
軌道速度をWKｍとし、軌道の拡大とともにダークマター1個のエネルギーが減少し、ダークマターの数が増加する場合、ダークマターの数とダークマター1個のエネルギーはどのようであるか。
10-15m時代、と10-14m時代の場合を考える。
109光年のダークマター数をｃ個とする。
109光年のダークマター数：2×109光年のダークマター数：3×109光年のダークマター数：4×109光年のダークマター数：5×109光年のダークマター数：6×109光年のダークマター数：7×109光年のダークマター数：8×109光年のダークマター数：9×109光年のダークマター数：1010光年のダークマター数：2×1010光年のダークマター数＝1：2：3：4：5：6：7：8：9：10：11＝ｃ個：2ｃ個：3ｃ個：4ｃ個：5ｃ個：6ｃ個：7ｃ個：8ｃ個：9ｃ個：10ｃ個：11ｃ個
ダークマター1個のエネルギー×ダークマターの数=速度2＝W2    ダークマター1個のエネルギーは、ダークマターの数に反比例する。
109光年のダークマター1個のエネルギー：2×109光年のダークマター1個のエネルギー：3×109光年のダークマター1個のエネルギー：4×109光年のダークマター1個のエネルギー：5×109光年のダークマター1個のエネルギー：6×109光年のダークマター1個のエネルギー：7×109光年のダークマター1個のエネルギー：8×109光年のダークマター1個のエネルギー：9×109光年のダークマター1個のエネルギー：1010光年のダークマター1個のエネルギー：2×1010光年のダークマター1個のエネルギー＝W2÷ｃ：W2÷2ｃ：W2÷3ｃ：W2÷4ｃ：W2÷5ｃ：W2÷6ｃ：W2÷7ｃ：W2÷8ｃ：W2÷9ｃ：W2÷10ｃ：W2÷11ｃ=1：0.5：0.333：0.25：0.2：0.167：0.143：0.125：0.111：0.1：0.091
この事を表に示す。
・速度2からダークマターの数とダークマター1個のエネルギーを知る表
表２８
2015116019.tif 000038
【請求項２６】
軌道速度をWKｍとし、軌道の拡大とともにダークマター1個のエネルギーが減少し、ダークマターの数が増加する場合、ダークマター1個のエネルギーとダークマターの数はどのようであるか。
10-15m時代、と10-14m時代の場合を考える。
109光年のダークマター1個のエネルギーを10ｄJとする。
109光年のダークマター1個のエネルギー：2×109光年のダークマター1個のエネルギー：3×109光年のダークマター1個のエネルギー：4×109光年のダークマター1個のエネルギー：5×109光年のダークマター1個のエネルギー：6×109光年のダークマター1個のエネルギー：7×109光年のダークマター1個のエネルギー：8×109光年のダークマター1個のエネルギー：9×109光年のダークマター1個のエネルギー：1010光年のダークマター1個のエネルギー：2×1010光年のダークマター1個のエネルギー＝10ｄJ：9ｄJ：8ｄJ：7ｄJ：6ｄJ：5ｄJ：4ｄJ：3ｄJ：2ｄJ：ｄJ：0.9ｄJ
ダークマター1個のエネルギー×ダークマターの数=速度2＝W2    ダークマターの数はダークマター1個のエネルギーに反比例する。
109光年のダークマターの数：2×109光年のダークマターの数：3×109光年のダークマターの数：4×109光年のダークマターの数：5×109光年のダークマターの数：6×109光年のダークマターの数：7×109光年のダークマターの数：8×109光年のダークマターの数：9×109光年のダークマターの数：1010光年のダークマターの数：2×1010光年のダークマターの数=W2÷10d：W2÷9d：W2÷8d：W2÷7d：W2÷6d：W2÷5d：W2÷4d：W2÷3d：W2÷2d：W2÷d：W2÷0.9d=0.1：0.111：0.125：0.143：0.167：0.2：1：1.111
この事を表に示す。
・速度2からダークマターの数とダークマター1個のエネルギーを知る表。
表２９
2015116019.tif 000039
・この事により何が理解できるか。
1．宇宙の中央のブラックホールが作る軌道エネルギーに無関係に、宇宙の速度により、ダークマターの数を特定の数にし、ダークマター1個のエネルギーを知ることができる。
2．宇宙の中央のブラックホールが作る軌道エネルギーに無関係に、宇宙の速度により、ダークマター1個のエネルギーを特定の値にし、ダークマターの数を知ることができる。
例えば1010光年の速度が3×102Kmで、軌道半径の1/10に存在する軌道のダークマターの数は、2.740×1025個÷2＝1.37×1025個であるとするとき、ダークマター1個のエネルギーはいくらか。
W＝3×102Km。１0ｃ個＝1.37×1025個。
ダークマター1個のエネルギー＝W2÷10ｃ＝9×104÷(1.37×1025個)＝6.569×10-21J
1010光年の速度が3×102Kmで、ダークマターのの数が1.37×1025個であるとき、ダークマター1個のエネルギーは、6.569×10-21Jです。
【発明の詳細な説明】
【技術分野】
【０００１】
本発明は、ダークマターがどのように存在しているかに関するものである。
【背景技術】
【０００２】
ダークマターである、自転する電子のラブと陽子のラブのエネルギーは小さい。それ故、ダークマターの存在できるところは限定される。
2013年11月14日に提出した、2013-235582の「請求項5」に於いて、次のように記した。(-273℃に存在するダークマター1個が作る軌道エネルギーは、電子のエネルギー÷(273))1/2、です。それで、ダークマターは原子の中には入れない。よって、ダークマターは、星の外側や銀河の軌道の外側の軌道に存在する。しかし、ダークマターが17個以上固まって存在する場合は、原子のエネルギーより大きく成り、宇宙の星や銀河の中に存在できる。
2012年1月27日に提出した、特願2012-286352、の「請求項１」では次のように記した。ダークマターがどうして電気の光子を作っているのか。ダークマターは宇宙の中心のブラックホールが作る回転軌道を走る。ダークマターは自転しながら走るので、電気の光子を作る。ダークマターが作る電気の光子が軌道のエネルギーに成り、回転速度2を作る。これがダークマターが回転速度を作る理由です。)
2012年1月27日に提出した、特願2012-286352、に於いて、軌道のダークマターの数＝2.740×1025個として計算した。2.740×1025個は、軌道半径の1/5に存在する軌道のダークマターの数です。これは誤りです。10am時代の1個のダークマターのエネルギー＝4.468×10-31−aJ、です。これはダークマターが1秒間に作る磁気の光子のエネルギーです。このエネルギーと同じ電気の光子のエネルギーをダークマターは軌道を回転しながら作っていると考えます。それで、電気の光子のエネルギー＝ダークマター1個のエネルギー×ダークマターの数＝速度2、です。ダークマターの数＝速度2÷ダークマター1個のエネルギー。このようにダークマターの数を求めます。
それで、この誤りを正しく計算し直します。この事に関しては「請求項２２」から「請求項３９」に記します。
【先行技術文献】
【特許文献】
【０００３】
【特許文献１】特願2012-286352
【特許文献２】特願2013-023929
【特許文献３】特願2013-223032
【特許文献４】特願2013-235582
【発明の概要】
【発明が解決しようとする課題】
【０００４】
１．    ダークマターの軌道エネルギーはいくらか。
２．    どうしてダークマターは原子や  元素の中に存在できないのか。
３．    ダークマターのエネルギー密度はいくらか。電子のラブのエネルギー密度はいくらか。
４．    ダークマターのエネルギー密度は電子のラブのエネルギー密度の何倍か。
５．    ダークマターの大きさと電子のラブの大きさの比較。
６．    どうして、宇宙は加速膨張しているのか。
７．    どうして、ダークマター数は増加するのか。
８．    ダークマターが軌道を走って作る電気の光子が軌道のエネルギーに成り、回転速度2を作る。この電気の光子のエネルギーはどれ位か。
９．    10-31m時代から10-10m時代の軌道エネルギーと速度2と速度と、これと同じ軌道エネルギー(速度2)をダークマターが作るとしたら、その時代のダークマター1個のエネルギーとダークマターの数はいくらか。
１０．    現代、宇宙の半径は、5×109光年であるとする。(この距離は2013年2月11日に特願2013-023929の「請求項2」に記した)  各軌道半径の速度と、その速度と同じ速度をダークマターが作るとしたならば、何個のダークマターであるか。(ダークマター1個のエネルギーを一定とする場合)
１１．    各々の軌道が同じ速度で回転する場合、ダークマターの数はどのようであるか。
１２．    5×109光年の軌道が加速するためにはどれ位ダークマターが必要か。
１３．    もし、5×109光年の軌道に、1.142×1022個のダークマターだけが存在する場合、ダークマターが作る速度はいくらか。
１４．    10-14m時代のダークマターの速度を2×102Kmとすると、それは何個のダークマターで作られるか。
１５．    ダークマター1個のエネルギーが中央程大きいとし、5：4：3：2：1であるとする。軌道半径109光年から5×109光年の軌道エネルギーと同じ軌道エネルギーを作るに必要なダークマターの数はいくらか。
１６．    特願2013-214732の「請求項15」で、宇宙の中央のブラックホールから地球までの距離は142.066×108光年であることを知った。U1.27が存在する軌道の速度と地球が存在する軌道の速度はいくらか。
１７．    軌道半径が9×107光年から2×1011光年までの中央のブラックホールが作る軌道エネルギーと、その軌道エネルギーと同じ軌道エネルギーを作るダークマターの数はいくらか。
１８．    ダークマターの数×ダークマター1個のエネルギーが軌道のエネルギーに成り、ダークマター1個のエネルギーが軌道半径の拡大に従い減少する場合のダークマター数。これを求める一般式はいくらか。
１９．    もし、宇宙の軌道速度が同じであるとすると、ダークマターの数はどのようになるか。
２０．    軌道半径が108光年から2×1010光年までについて、10am時代、ダークマターの数×ダークマター1個のエネルギーが10a+24光年の軌道エネルギーに成り、ダークマター1個のエネルギーが軌道半径の拡大に従い減少し、ダークマターの数が軌道半径の拡大に従い増加するならば、ダークマターの数はどのようであるか。
２１．    10am時代、ダークマターの数×ダークマター1個のエネルギーが軌道半径10a+24光年の軌道エネルギーに成り、ダークマター1個のエネルギーが軌道半径の拡大に従い減少し、ダークマターの数が軌道半径の拡大に従い増加する場合のダークマター数。この場合の一般式はどのようであるか。
２２． ダークマターの数×ダークマター1個のエネルギーが軌道のエネルギーに成り、ダークマター1個のエネルギーが軌道半径の拡大に従い減少し、ダークマターの数が軌道半径の拡大に従い増加する場合のダークマター数。これを求める一般式はいくらか。
２３．    2012年1月27日に提出した、特願2012-286352、に於いて、軌道のダークマターの数＝2.740×1025個として計算した。2.740×1025個は、軌道半径の1/5に存在する軌道のダークマターの数です。軌道半径の1/10に存在する軌道のダークマターの数は、2.740×1025個÷2＝1.37×1025個です。それで、このダークマターが軌道エネルギーを作っているとするならば、ダークマターが1秒間に作る電気の光子のエネルギーはいくらか。ダークマターが1秒間に作る電気の光子のエネルギーをダークマターの回転エネルギーとする。
２４．    ダークマターの回転エネルギーとダークマターのエネルギーの比較。
２５．    軌道速度をWKｍとし、軌道の拡大とともにダークマター1個のエネルギーが減少し、ダークマターの数が増加する場合、ダークマターの数とダークマター1個のエネルギーはどのようであるか。
２６．    軌道速度をWKｍとし、軌道の拡大とともにダークマター1個のエネルギーが減少し、ダークマターの数が増加する場合、ダークマター1個のエネルギーとダークマターの数はどのようであるか。
【課題を解決するための手段】
【０００５】
宇宙の中心のブラックホールが作る軌道エネルギーは、軌道エネルギー＝4.827×1027JKm÷軌道半径、の式で求める。
ダークマター1個のエネルギー＝4.468×10-31−aJ、で求める。
ダークマターの数＝軌道エネルギー÷ダークマター1個のエネルギー、で求める。
【発明の効果】
【０００６】
１．  ダークマターの軌道エネルギーは、3.081×10-33Jm、です。
２．電子のラブや陽子のラブの軌道エネルギーはダークマターの軌道エネルギーの2.821×109倍です。それで、ダークマターは原子や  元素の中に入って存在できない。
３．ダークマターのエネルギー密度は、6.499×10-29−2a、です。電子のラブのエネルギー密度は8.665×10-24Jm÷102a、です。
4．電子のラブのエネルギー密度はダークマターのエネルギー密度の、1÷(7.500×10-6)＝1.333×105、倍です。
この事によって、ダークマターは原子や元素の中に存在できない。
5．ダークマターの大きさは、電子の公転軌道×3.945×10-8、です。
電子の大きさは、ダークマターの大きさ×2.535×107、です。
この事によって、ダークマターは原子や元素の中を通り抜けられる。
6．加速度=速度2=軌道エネルギー＝ダークマター数×ダークマター1個のネルギー=ダークマター数×4.468×10-31−aJ
7．10-14m時代は引力が小さくなり、端の方に移動しやすくなった。
8．ダークマターである電子のラブが自転して作る磁気の光子のエネルギーと、軌道を回転して作る電気の光子のエネルギーは等しいと考える。
9．1．各々の時代の速度を作るために、同じ個数、2.285×1021個のダークマターが働いている。
2．ダークマターは各々の時代の速度2を作るために秩序正しく働いている。
この一般式は
10．軌道半径が小さい軌道のエネルギーは高いので、このエネルギーを作るためには、より多くのダークマターが必要です。但しこれは、ダークマターがどの軌道でも同じエネルギーであると考える場合です。
11．各々の軌道が同じ速度で回転する場合、ダークマターの数は、軌道半径が109光年のダークマターの数：軌道半径が2×109光年のダークマターの数：軌道半径が3×109光年のダークマターの数：軌道半径が4×109光年のダークマターの数：軌道半径が5×109光年のダークマターの数＝2.285×1021個：2.856×1021個：3.807×1021個：5.709×1021個：1.142×1022個、です。
12．5×109光年の軌道が加速するためには、1.142×1022個以上のダークマターが必要です。
13．もし、5×109光年の軌道に、1.142×1022個のダークマターだけが存在する場合、ダークマターが作る速度は7.143×102Kmです。
14．10-14m時代のダークマターの速度を2×102Kmとすると、それは8.953×1020個のダークマターで作られる。
15．109光年の軌道のダークマター数＝軌道エネルギー÷ダークマター１個のエネルギー＝5.103×105J÷(5×4.468×10-17J)＝2.284×1021個、と計算する。
16．U1.27の軌道の速度は、6.298×102Kmです。地球が存在する軌道半径は、142.006×108光年です。この軌道の速度は、1.895×102Kmです。
17   1．時代が進むにつれて、軌道エネルギーは小さくなる。そして速度は遅くなる。
2．時代が進むにつれて、ダークマター1個のエネルギーは小さくなる。
3．軌道のエネルギー―と同じエネルギーを作るダークマターの数は3.807×1020個から1.142×1021個である。
4．しかし、現代は加速しているのですから、実際はこのようにならないはずです。
18．・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
19．この場合、軌道のエネルギー―と同じエネルギーを作るダークマターの数は3.807×1020個から1.142×1021個であり、不規則であるが、各軌道半径のダークマター1個のエネルギーを軌道が拡大するとダークマター1個のエネルギーは小さくなると考えているので、ダークマターの数では軌道の速度を簡単に規定できない。
20．軌道エネルギー＝ダークマター1個のエネルギー×ダークマターの数、ですから、軌道エネルギー＝速度2が一定の場合、ダークマター1個のエネルギーとダークマターの数は反比例する。
21．・10am時代で、軌道半径がA×10a+24光年の場合。
軌道エネルギー＝4.827×1027JKm÷(10a+24×9.46×1012Km)=5.103×10-10−aJ
ダークマター1個のエネルギー＝(11-A)(4.468×10-32-a)J
ダークマターの数＝5.103×10-10-aJ÷｛(11-A)(4.468×10-32-a)J｝=1.142×1022÷(11-A)
ダークマター1個のエネルギー×ダークマターの数＝(11-A)(4.468×10-32-a)J×1.142×1022÷(11-A)＝5.098×10-10−aJ
22．・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
ダークマター1個のエネルギー×ダークマターの数＝(11-A)(4.468×10-32-a)J×1.142×1022÷A÷(11-A)＝5.103×10-10−a÷AJ
23．この一般式は、ダークマター1個の回転エネルギー＝3.725-35-aJ、です。
24．ダークマターのエネルギーはダークマターの回転エネルギーの1.199×104倍です。
ダークマターの回転エネルギーはダークマターのエネルギーの8.337×10―5倍です。
25．109光年のダークマター数をｃ個とする。表に示す。
26．・この事により何が理解できるか。
1．宇宙の中央のブラックホールが作る軌道エネルギーに無関係に、宇宙の速度により、ダークマターの数を特定の数にし、ダークマター1個のエネルギーを知ることができる。
2．宇宙の中央のブラックホールが作る軌道エネルギーに無関係に、宇宙の速度により、ダークマター1個のエネルギーを特定の値にし、ダークマターの数を知ることができる。
【図面の簡単な説明】
【０００７】
【図１】電子のラブと陽子のラブの軌道エネルギーは、8.665×10-24Jmです。ダークマターの軌道エネルギーは3.072×10-33Jmです。電子のラブと陽子のラブの軌道エネルギーはダークマターの軌道エネルギーの2.821×109倍です。それで、ダークマターは原子や元素の軌道の中に存在できない。電子のラブと陽子のラブのエネルギー密度は、8.665×10-24−2a、です。ダークマターのエネルギー密度は、6.499×10-29-2a、です。電子のラブと陽子のラブのエネルギー密度はダークマターのエネルギー密度の、1.333×105倍です。それで、ダークマターは原子や元素の軌道の中に存在できない。それで、ダークマターは星や銀河の低エネルギーの所に存在する。
【発明を実施するための形態】
【０００８】
１．ダークマターの軌道エネルギーはいくらか。
ダークマターが1秒間に作る磁気の光子のエネルギーをダークマター1個のエネルギーとする。公転軌道が10amの場合、ダークマターが1秒間に作るエネルギー＝4.468×10-31−aJ、です。ダークマターの自転軌道＝6.895×10a-3m。(この事については2012年10月15日に提出した、特願2012-227767「ダークマター2」に記した。これを表に示す)
ダークマターの軌道エネルギー＝ダークマターが1秒間に作るエネルギー×ダークマターの自転軌道＝4.468×10-31−aJ×6.895×10a-3m＝3.081×10-33Jm。
ダークマターの軌道エネルギーは、3.081×10-33Jm、です。
表１
2015116019.tif 000003
２．    どうしてダークマターは原子や  元素の中に存在できないか。
ダークマターの軌道エネルギーは、3.072×10-33Jmであり、電子のラブや陽子のラブの軌道エネルギーは8.665×10-24Jm、です。
・電子のラブや陽子のラブの軌道エネルギーはダークマターの軌道エネルギーの何倍か。
電子のラブや陽子のラブの軌道エネルギー÷ダークマターの軌道エネルギー＝8.665×10-24Jm÷(3.072×10-33Jm)＝2.821×109(倍)
電子のラブや陽子のラブの軌道エネルギーはダークマターの軌道エネルギーの2.821×109倍です。
電子のラブや陽子のラブの軌道エネルギーはダークマターの軌道エネルギーの2.821×109倍です。それで、ダークマターは原子や  元素の中に入って存在できない。
３．    ダークマターのエネルギー密度はいくらか。電子のラブのエネルギー密度はいくらか。
エネルギー密度=ダークマターのエネルギー÷ダークマターの大きさ＝ダークマターが1秒間に作るエネルギー÷ダークマターの自転軌道＝4.468×10-31−aJ÷(6.875×10a-3m)＝6.499×10-29−2a 。
ダークマターのエネルギー密度は、6.499×10-29−2a、です。
例えば、10-14m時代では、ダークマターのエネルギー密度＝6.499×10-29−2a＝6.499×10-29＋2×14＝6.499×10-1です。
10-10mの場では、ダークマターのエネルギー密度＝6.499×10-29−2a＝6.499×10-29＋2×10＝6.499×10-9です。
・電子のラブのエネルギー密度はいくらか。
電子のラブのエネルギー密度＝電子のラブのエネルギー÷電子のラブの公転軌道＝8.665×10-24Jm÷電子のラブの公転軌道÷電子のラブの公転軌道＝8.665×10-24Jm÷102a。
電子のラブのエネルギー密度は8.665×10-24Jm÷102a、です。
４．  ダークマターのエネルギー密度は電子のラブのエネルギー密度の何倍か。
ダークマターのエネルギー密度÷電子のラブのエネルギー密度＝6.499×10-29−2a÷(8.665×10-24Jm÷102a)=7.500×10-6(倍)
ダークマターのエネルギー密度は電子のラブのエネルギー密度の7.500×10-6倍です。
電子のラブのエネルギー密度はダークマターのエネルギー密度の、1÷(7.500×10-6)＝1.333×105、倍です。
この事によって、ダークマターは原子や元素の中に存在できない。
５．    ダークマターの大きさと電子のラブの大きさの比較。
ダークマターの大きさ＝電子の公転軌道×3.14÷1公転の自転数＝電子の公転軌道×3.14÷(7.96×107)＝電子の公転軌道×3.945×10-8。
電子の公転軌道＝ダークマターの大きさ÷(3.945×10-8)＝ダークマターの大きさ×2.535×107。
ダークマターの大きさは、電子の公転軌道×3.945×10-8、です。
電子の大きさは、ダークマターの大きさ×2.535×107、です。
この事によって、ダークマターは原子や元素の中を通り抜けられる。
この事を表に示す。
・ダークマターと電子のラブと陽子のラブの比較
表２
2015116019.tif 000004
６．    どうして、宇宙は加速膨張しているのか。
宇宙は軌道が拡大すると、宇宙の中心のブラックホールから離れるので、軌道半径の速度2は減少します。
速度2＝4.827×1027JKm÷軌道半径Km、であるからです。
それなのに、宇宙は軌道が拡大しているのに、加速している、ということは、加速する要因が存在している、ということです。
それはダークマターです。
加速度=速度2=軌道エネルギー＝ダークマター数×ダークマター1個のネルギー=ダークマター数×4.468×10-31−aJ
10-14m時代、加速度＝ダークマター数×4.468×10-31+14J＝ダークマター数×4.468×10-17J
加速度＝速度2がK2であるならば、ダークマター数＝K2÷(4.468×10-17)、です。
例えば、速度が3×102であるならば、ダークマター数＝K2÷(4.468×10-17)＝9×104÷(4.468×10-17)＝2.014×1021個、です。
７．    どうして、ダークマター数は増加するのか。
10―16m時代はブラックホールの時代で、引力が10-14m時代の108倍で、ダークマターは端の方に移動しがたい。
10-15m時代は引力が10-14m時代の104倍で、ダークマターは端の方に移動しがたい。
10-14m時代は引力が小さくなり、端の方に移動しやすくなった。
それで、現代、ダークマターは遠心力で端の軌道の方に移動し、端の軌道のダークマター数は増加した。それで、軌道エネルギーは大きく成り、加速度も大きく成った。
８．    ダークマターが軌道を走って作る電気の光子が軌道のエネルギーに成り、回転速度2を作る。この電気の光子のエネルギーはどれ位か。
電子のラブが自転して作る磁気の光子のエネルギーと、公転して作る電気の光子のエネルギーは等しい。それ故、ダークマターである電子のラブが自転して作る磁気の光子のエネルギーと、軌道を回転して作る電気の光子のエネルギーは等しいと考える。
９．    10-31m時代から10-10m時代の軌道エネルギーと速度2と速度と、これと同じ軌道エネルギー(速度2)をダークマターが作るとしたら、その時代のダークマター1個のエネルギーとダークマターの数はいくらか。
・10-20m時代は、軌道半径が５×103光年までです。
軌道半径が5×103光年の軌道エネルギー(速度2)は、4.827×1027JKm÷(5×103×9.46×1012Km)＝1.021×1011 J
速度＝(1.021×1011Km)1/2=3.194×105Km。
10-20m時代のダークマター1個のエネルギー=4.468×10-31+20J=4.468×10-11J
ダークマターの数＝1.021×1011J÷(4.468×10-11J)＝2.285×1021(個)
・10-19m時代は、軌道半径が５×104光年までです。
軌道半径が5×104光年の軌道エネルギー(速度2)は、4.827×1027JKm÷(5×104×9.46×1012Km)＝1.021×1010J
速度＝(1.021×1010Km)1/2=1.010×105Km。
10-19m時代のダークマター1個のエネルギー=4.468×10-31+19J=4.468×10-12J
ダークマターの数＝1.021×1010J÷(4.468×10-12J)＝2.285×1021(個)
・10-18m時代は、軌道半径が５×105光年までです。
軌道半径が5×105光年の軌道エネルギー(速度2)は、4.827×1027JKm÷(5×105×9.46×1012Km)＝1.021×109 J
速度＝(1.021×109Km)1/2=3.195×104Km。
10-18m時代のダークマター1個のエネルギー=4.468×10-31+18J=4.468×10-13J
ダークマターの数＝1.021×109J÷(4.468×10-13J)＝2.285×1021(個)
・10-17m時代は、軌道半径が５×106光年までです。
軌道半径が5×106光年の軌道エネルギー(速度2)は、4.827×1027JKm÷(5×106×9.46×1012Km)＝1.021×108 J
速度＝(1.021×108Km)1/2=1.010×104Km。
10-17m時代のダークマター1個のエネルギー=4.468×10-31+17J=4.468×10-14J
ダークマターの数＝1.021×108J÷(4.468×10-14J)＝2.285×1021(個)
・10-16m時代は、軌道半径が５×107光年までです。
軌道半径が5×107光年の軌道エネルギー(速度2)は、4.827×1027JKm÷(5×107×9.46×1012Km)＝1.021×107J
速度＝(1.021×107Km)1/2=3.195×103Km。
10-16m時代のダークマター1個のエネルギー=4.468×10-31+16J=4.468×10-15J
ダークマターの数＝1.021×107J÷(4.468×10-15J)＝2.285×1021(個)
・10-15m時代は、軌道半径が５×108光年までです。
軌道半径が5×108光年の軌道エネルギー(速度2)は、4.827×1027JKm÷(5×108×9.46×1012Km)＝1.021×106J
速度＝(1.021×106Km)1/2=1.010×103Km。
10-15m時代のダークマター1個のエネルギー=4.468×10-31+15J=4.468×10-16J
ダークマターの数＝1.021×106J÷(4.468×10-16J)＝2.285×1021(個)
・10-14m時代は、軌道半径が５×109光年までです。
軌道半径が5×109光年の軌道エネルギー(速度2)は、4.827×1027JKm÷(5×109×9.46×1012Km)＝1.021×105J
速度＝(1.021×105Km)1/2=3.195×102Km。
10-14m時代のダークマター1個のエネルギー=4.468×10-31+14J=4.468×10-17J
ダークマターの数＝1.021×105J÷(4.468×10-17J)＝2.285×1021(個)
・10-13m時代は、軌道半径が５×1010光年までです。
軌道半径が5×1010光年の軌道エネルギー(速度2)は、4.827×1027JKm÷(5×1010×9.46×1012Km)＝1.021×104J
速度＝(1.021×104Km)1/2=1.010×102Km。
10-13m時代のダークマター1個のエネルギー=4.468×10-31+13J=4.468×10-18J
ダークマターの数＝1.021×104J÷(4.468×10-18J)＝2.285×1021(個)
・10-12m時代は、軌道半径が５×1011光年までです。
軌道半径が5×1011光年の軌道エネルギー(速度2)は、4.827×1027JKm÷(5×1011×9.46×1012Km)＝1.021×103J
速度＝(1.021×103Km)1/2=3.195×10Km。
10-12m時代のダークマター1個のエネルギー=4.468×10-31+12J=4.468×10-19J
ダークマターの数＝1.021×103J÷(4.468×10-19J)＝2.285×1021(個)
・10-11m時代は、軌道半径が５×1012光年までです。
軌道半径が5×1012光年の軌道エネルギー(速度2)は、4.827×1027JKm÷(5×1012×9.46×1012Km)＝1.021×102J
速度＝(1.021×102Km)1/2=1.010×10Km。
10-11m時代のダークマター1個のエネルギー=4.468×10-31+11J=4.468×10-20J
ダークマターの数＝1.021×102J÷(4.468×10-20J)＝2.285×1021(個)
・10-10m時代は、軌道半径が５×1013光年までです。
軌道半径が5×1013光年の軌道エネルギー(速度2)は、4.827×1027JKm÷(5×1013×9.46×1012Km)＝1.021×10J
速度＝(1.021×10Km)1/2=3.195Km。
10-10m時代のダークマター1個のエネルギー=4.468×10-31+10J=4.468×10-21J
ダークマターの数＝1.021×10J÷(4.468×10-21J)＝2.285×1021(個)
・秒速が3×105Kmに成る時代はいつか。
ダークマターの数は2.285×1021個ですから、
速度2＝ダークマター1個のエネルギー×ダークマターの数＝4.468×10-31−aJ×2.285×1021=9×1010J
10-31−aJ＝9×1010J÷(4.468×2.285×1021)=9.795×10-13＝10-13+0.9910＝10-12,009
-31 -  a=-12.009
a=12.009-31=-18.991
10-18.991=10 -19+0.009=10-19
秒速が3×105Kmに成る時代は、10-19m時代です。
・秒速が光速2に成る時代はいつか。
ダークマターの数は2.285×1021個ですから、
速度2＝ダークマター1個のエネルギー×ダークマターの数＝4.468×10-31−aJ×2.285×1021=(9×1010)2J=81×1020
10-31−a＝81×1020÷(4.468×2.285×1021)=7.934×10-1
10−a=7.934×10-1＋31=7.934×1030=10０．８９９５×1030=10３０．８９９５
a=-30.8995=-31+0.1005
10-31+0.1005=1.260×10-31
秒速が光速2に成る時代は1.260×10-31m時代です。
この時代はインフレーション(ビッグバン)が始まった時代です。
この事を表に示す。
・10-31m時代から10-10m時代の軌道エネルギーと速度とダークマター1個のエネルギーと軌道エネルギーを作るために必要なダークマター数。
表３
2015116019.tif 000005
2015116019.tif 000006
この表により理解できる事
1．各々の時代の速度を作るために、同じ個数、2.285×1021個のダークマターが働いている。
2．ダークマターは各々の時代の速度2を作るために秩序正しく働いている。
１０．    現代、宇宙の半径は、5×109光年であるとする。(この距離は2013年2月11日に特願2013-023929の「請求項2」に記した)  各軌道半径の速度と、その速度と同じ速度をダークマターが作るとするならば、何個のダークマターであるか。(ダークマター1個のエネルギーを一定とする場合)
・半径109光年の軌道エネルギー＝4.827×1027JKm÷(109×9.46×1012Km)=5.103×105J
速度＝(5.103×105)1/2=7.144×102Km
10-14m時代のダークマター1個のエネルギー＝4.468×10-31+14J=4.468×10-17J
ダークマターの数＝5.103×105J÷(4.468×10-17J)＝1.142×1022個
・半径2×109光年の軌道エネルギー＝4.827×1027JKm÷(2×109×9.46×1012Km)=2.551×105J
速度＝(2.551×105)1/2=5.015×102Km
ダークマターの数＝2.551×105J÷(4.468×10-17J)＝5.709×1021個
・半径3×109光年の軌道エネルギー＝4.827×1027JKm÷(3×109×9.46×1012Km)=1.701×105J
速度＝(1.701×105)1/2=4.124×102Km
ダークマターの数＝1.701×105J÷(4.468×10-17J)＝3.807×1021個
・半径4×109光年の軌道エネルギー＝4.827×1027JKm÷(4×109×9.46×1012Km)=1.276×105J
速度＝(1.276×105)1/2=3.572×102Km
ダークマターの数＝1.276×105J÷(4.468×10-17J)＝2.856×1021個
・半径5×109光年の軌道エネルギー＝4.827×1027JKm÷(5×109×9.46×1012Km)=1.021×105J
速度＝(1.021×105)1/2=3.195×102Km
ダークマターの数＝1.021×105J÷(4.468×10-17J)＝2.285×1021個
この事を表に示す。
・軌道半径を5×109光年とする場合、軌道エネルギーと速度と、その軌道エネルギーを作るために必要なダークマター数。(ダークマター1個のエネルギーを一定とする場合)
表４
2015116019.tif 000007
この表により理解できる事。
１．軌道半径が小さい軌道のエネルギーは高いので、このエネルギーを作るためには、より多くのダークマターが必要です。但しこれは、ダークマターがどの軌道でも同じエネルギーであると考える場合です。
１１．    各々の軌道が同じ速度で回転する場合、ダークマターの数はどのようであるか。
軌道の速度と同じ速度を作るために必要なダークマターの数を求めたので、各々の軌道が同じ速度で回転する場合、ダークマターの数はこの逆になる。
即ち、軌道半径が109光年のダークマターの数：軌道半径が2×109光年のダークマターの数：軌道半径が3×109光年のダークマターの数：軌道半径が4×109光年のダークマターの数：軌道半径が5×109光年のダークマターの数＝2.285×1021個：2.856×1021個：3.807×1021個：5.709×1021個：1.142×1022個、です。
各々の軌道が同じ速度で回転する場合、ダークマターの数は、軌道半径が109光年のダークマターの数：軌道半径が2×109光年のダークマターの数：軌道半径が3×109光年のダークマターの数：軌道半径が4×109光年のダークマターの数：軌道半径が5×109光年のダークマターの数＝2.285×1021個：2.856×1021個：3.807×1021個：5.709×1021個：1.142×1022個、です。
１２．    5×109光年の軌道が加速するためにはどれ位ダークマターが必要か。
宇宙の速度は同じだとする。その場合、各軌道には上記のダークマター数が存在する。それで、5×109光年の軌道が加速するためには、1.142×1022個以上のダークマターが必要です。
１３．    もし、5×109光年の軌道に、1.142×1022個のダークマターだけが存在する場合、ダークマターが作る速度はいくらか。
軌道エネルギー＝ダークマターの数×ダークマター1個のエネルギー＝1.142×1022個×4.468×10-17J=5.102×105J
速度＝(5.102×105)1/2=7.143×102Km
もし、5×109光年の軌道に、1.142×1022個のダークマターだけが存在する場合、ダークマターが作る速度は7.143×102Kmです。
１４．    10-14m時代のダークマターの速度を2×102Kmとすると、それは何個のダークマターで作られるか。
10-14m時代のダークマター1個のエネルギーは、4.468×10-31+14J＝4.468×10-17J、です。
ダークマターの数＝速度2÷ダークマター1個のエネルギー＝4×104J÷(4.468×10-17J)＝8.953×1020(個)
10-14m時代のダークマターの速度を2×102Kmとすると、それは8.953×1020個のダークマターで作られる。
１５．    ダークマター1個のエネルギーが中央程大きいとし、5：4：3：2：1であるとする。軌道半径109光年から5×109光年の軌道エネルギーと同じ軌道エネルギーを作るに必要なダークマターの数はいくらか。
5×109光年の軌道のダークマター１個のエネルギーを4.468×10-17Jとする場合。
109光年の軌道のダークマター１個のエネルギーは、5×4.468×10-17J。
2×109光年の軌道のダークマター１個のエネルギーは、4×4.468×10-17J。
3×109光年の軌道のダークマター１個のエネルギーは、3×4.468×10-17J。
4×109光年の軌道のダークマター１個のエネルギーは、2×4.468×10-17J。
5×109光年の軌道のダークマター１個のエネルギーは、4.468×10-17J。
それで、
109光年の軌道のダークマター数＝軌道エネルギー÷ダークマター１個のエネルギー＝5.103×105J÷(5×4.468×10-17J)＝2.284×1021個
2×109光年の軌道のダークマター数＝軌道エネルギー÷ダークマター１個のエネルギー＝2.551×105J÷(4×4.468×10-17J)＝1.427×1021個
3×109光年の軌道のダークマター数＝軌道エネルギー÷ダークマター１個のエネルギー＝1.701×105J÷(3×4.468×10-17J)＝1.269×1021個
4×109光年の軌道のダークマター数＝軌道エネルギー÷ダークマター１個のエネルギー＝1.276×105J÷(2×4.468×10-17J)＝1.428×1021個
5×109光年の軌道のダークマター数＝軌道エネルギー÷ダークマター１個のエネルギー＝1.021×105J ÷(1×4.468×10-17J)＝2.285×1021個
この事を表に示す。
・ダークマター1個のエネルギーが中央程大きいとし、5：4：3：2：1であるとする。軌道半径の軌道エネルギーと同じ軌道エネルギーを作るに必要なダークマターの数。
表５
2015116019.tif 000008
１６．    特願2013-214732の「請求項15」で、宇宙の中央のブラックホールから地球までの距離は142.066×108光年であることを知った。U1.27が存在する軌道の速度と地球が存在する軌道の速度はいくらか。
大クエーサー群のU1.27の最大の長さは40.4×108光年である事を考えた時、宇宙の中央のブラックホールから地球までの距離は142.006×108光年であることを知った。地球の軌道半径は142.006×108光年です。
・U1.27が存在する軌道半径は、12.866×108光年です。U1.27が存在する軌道の速度はいくらか。
軌道エネルギー=速度2＝4.827×1027JKm÷(12.866×108×9.46×1012Km)=3.966×105J
速度＝(3.966×105J )1/2=6.298×102Km
U1.27が存在する軌道の速度は、6.298×102Kmです。
・地球が存在する軌道半径は、142.006×108光年です。この軌道の速度はいくらか。
軌道エネルギー=速度2＝4.827×1027JKm÷(142.066×108×9.46×1012Km)=3.592×104J
速度＝(3.592×104 )1/2=1.895×102Km
地球が存在する軌道半径は、142.006×108光年です。この軌道の速度は、1.895×102Kmです。
この事から、最も遠くに存在するU1.27の軌道半径12.866×108光年の軌道速度と、地球が存在する軌道半径142.006×108光年の軌道速度はそんなに変わらない。
この事を表に示す。
表６
2015116019.tif 000009
１７．    軌道半径が9×107光年から2×1011光年までの中央のブラックホールが作る軌道エネルギーと、その軌道エネルギーと同じ軌道エネルギーを作るダークマターの数はいくらか。
・10―17m時代。軌道半径は9×10７光年の場合。
軌道エネルギー＝速度2＝4.827×1027JKm÷(9×10７×9.46×1012Km)=5.669×10６J
速度＝(5.669×10６J)1/2=2.381×10３Km
ダークマターの個数＝軌道エネルギー÷ダークマター1個のエネルギー＝5.669×106J÷(2×4.468×10-15J)＝6.344×1020(個)
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマターの個数＝軌道エネルギー÷ダークマター1個のエネルギー＝5.103×106J÷(4.468×10-15J)＝1.142×1021(個)
・10―16m時代。軌道半径は2×108光年の場合。
軌道エネルギー＝速度2＝4.827×1027JKm÷(2×108×9.46×1012Km)=2.551×106J
速度＝(2.551×106J)1/2=1.597×103Km
ダークマターの個数＝軌道エネルギー÷ダークマター1個のエネルギー＝2.551×106J÷(9×4.468×10-16J)＝6.344×1020(個)
・10―16m時代。軌道半径は3×108光年の場合。
軌道エネルギー＝速度2＝4.827×1027JKm÷(3×108×9.46×1012Km)=1.701×106J
速度＝(1.701×106J)1/2=1.304×103Km
ダークマターの個数＝軌道エネルギー÷ダークマター1個のエネルギー＝1.701×106J÷(8×4.468×10-16J)＝4.759×1020(個)
・10―16m時代。軌道半径は4×108光年の場合。
軌道エネルギー＝速度2＝4.827×1027JKm÷(4×108×9.46×1012Km)=1.276×106J
速度＝(1.276×106J)1/2=1.130×103Km
ダークマターの個数＝軌道エネルギー÷ダークマター1個のエネルギー＝1.276×106J÷(7×4.468×10-16J)＝4.080×1020(個)
・10―16m時代。軌道半径は5×108光年の場合。
軌道エネルギー＝速度2＝4.827×1027JKm÷(5×108×9.46×1012Km)=1.021×106J
速度＝(1.021×106J)1/2=1.010×103Km
ダークマターの個数＝軌道エネルギー÷ダークマター1個のエネルギー＝1.021×106J÷(6×4.468×10-16J)＝3.809×1020(個)
・10―16m時代。軌道半径は6×108光年の場合。
軌道エネルギー＝速度2＝4.827×1027JKm÷(6×108×9.46×1012Km)=8.504×105J
速度＝(8.504×105J)1/2=9.222×102Km
ダークマターの個数＝軌道エネルギー÷ダークマター1個のエネルギー＝8.504×105J÷(5×4.468×10-16J)＝3.807×1020(個)
・10―16m時代。軌道半径は7×108光年の場合。
軌道エネルギー＝速度2＝4.827×1027JKm÷(7×108×9.46×1012Km)=7.289×105J
速度＝(7.289×105J)1/2=8.538×102Km
ダークマターの個数＝軌道エネルギー÷ダークマター1個のエネルギー＝7.289×105J÷(4×4.468×10-16J)＝4.078×1020(個)
・10―16m時代。軌道半径は8×108光年の場合。
軌道エネルギー＝速度2＝4.827×1027JKm÷(8×108×9.46×1012Km)=6.378×105J
速度＝(6.378×105J)1/2=7.986×102Km
ダークマターの個数＝軌道エネルギー÷ダークマター1個のエネルギー＝6.378×105J÷(3×4.468×10-16J)＝4.758×1020(個)
・10―16m時代。軌道半径は9×108光年の場合。
軌道エネルギー＝速度2＝4.827×1027JKm÷(9×108×9.46×1012Km)=5.669×105J
速度＝(5.669×105J)1/2=7.529×102Km
ダークマターの個数＝軌道エネルギー÷ダークマター1個のエネルギー＝5.669×105J÷(2×4.468×10-16J)＝6.344×1020(個)
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマターの個数＝軌道エネルギー÷ダークマター1個のエネルギー＝5.103×105J÷(4.468×10-16J)＝1.142×1021(個)
・10―15m時代。軌道半径は2×109光年の場合。
軌道エネルギー＝速度2＝4.827×1027JKm÷(2×109×9.46×1012Km)=2.551×105J
速度＝(2.551×105J)1/2=5.051×102Km
ダークマターの個数＝軌道エネルギー÷ダークマター1個のエネルギー＝2.551×105J÷(9×4.468×10-17J)＝6.344×1020(個)
・10―15m時代。軌道半径は3×109光年の場合。
軌道エネルギー＝速度2＝4.827×1027JKm÷(3×109×9.46×1012Km)=1.701×105J
速度＝(1.701×105J)1/2=4.124×102Km
ダークマターの個数＝軌道エネルギー÷ダークマター1個のエネルギー＝1.701×105J÷(8×4.468×10-17J)＝4.759×1020(個)
・10―15m時代。軌道半径は4×109光年の場合。
軌道エネルギー＝速度2＝4.827×1027JKm÷(4×109×9.46×1012Km)=1.276×105J
速度＝(1.276×105J)1/2=3.572×102Km
ダークマターの個数＝軌道エネルギー÷ダークマター1個のエネルギー＝1.276×105J÷(7×4.468×10-17J)＝4.080×1020(個)
・10―15m時代。軌道半径は5×109光年の場合。
軌道エネルギー＝速度2＝4.827×1027JKm÷(5×109×9.46×1012Km)=1.021×105J
速度＝(1.021×105J)1/2=3.195×102Km
ダークマターの個数＝軌道エネルギー÷ダークマター1個のエネルギー＝1.021×105J÷(6×4.468×10-17J)＝3.809×1020(個)
・10―15m時代。軌道半径は6×109光年の場合。
軌道エネルギー＝速度2＝4.827×1027JKm÷(6×109×9.46×1012Km)=8.504×104J
速度＝(8.504×104J)1/2=2.916×102Km
ダークマターの個数＝軌道エネルギー÷ダークマター1個のエネルギー＝8.504×104J÷(5×4.468×10-17J)＝3.807×1020(個)
・10―15m時代。軌道半径は7×109光年の場合。
軌道エネルギー＝速度2＝4.827×1027JKm÷(7×109×9.46×1012Km)=7.289×104J
速度＝(7.289×104J)1/2=2.700×102Km
ダークマターの個数＝軌道エネルギー÷ダークマター1個のエネルギー＝7.289×104J÷(4×4.468×10-17J)＝4.078×1020(個)
・10―15m時代。軌道半径は8×109光年の場合。
軌道エネルギー＝速度2＝4.827×1027JKm÷(8×109×9.46×1012Km)=6.378×104J
速度＝(6.378×104J)1/2=2.525×102Km
ダークマターの個数＝軌道エネルギー÷ダークマター1個のエネルギー＝6.378×104J÷(3×4.468×10-17J)＝4.758×1020(個)
・10―15m時代。軌道半径は9×109光年の場合。
軌道エネルギー＝速度2＝4.827×1027JKm÷(9×109×9.46×1012Km)=5.669×104J
速度＝(5.669×104J)1/2=2.381×102Km
ダークマターの個数＝軌道エネルギー÷ダークマター1個のエネルギー＝5.669×104J÷(2×4.468×10-17J)＝6.344×1020(個)
・10―14m時代。軌道半径は1010光年の場合。
軌道エネルギー＝速度2＝4.827×1027JKm÷(1010×9.46×1012Km)=5.103×104J
速度＝(5.103×104J)1/2=2.259×102Km
ダークマターの個数＝軌道エネルギー÷ダークマター1個のエネルギー＝5.103×104J÷(4.468×10-17J)＝1.142×1021(個)
・10―14m時代。軌道半径は1.42×1010光年の場合。
軌道エネルギー＝速度2＝4.827×1027JKm÷(1.42×1010×9.46×1012Km)=3.593×104J
速度＝(3.593×104J)1/2=1.896×102Km
ダークマターの個数＝軌道エネルギー÷ダークマター1個のエネルギー＝3.593×104J÷(9.58×4.468×10-18J)＝8.394×1020(個)
・10―14m時代。軌道半径は2×1010光年の場合。
軌道エネルギー＝速度2＝4.827×1027JKm÷(2×1010×9.46×1012Km)=2.551×104J
速度＝(2.551×104J)1/2=1.597×102Km
ダークマターの個数＝軌道エネルギー÷ダークマター1個のエネルギー＝2.551×104J÷(9×4.468×10-18J)＝6.344×1020(個)
・これから未来の宇宙はどのようであるか。未来の軌道エネルギーと速度と、その速度を作るために必要なダークマターの数はいくらか。(ダークマター1個のエネルギーは軌道の拡大に従い減少する場合。)
・10―14m時代。軌道半径は2×1010光年の場合。
軌道エネルギー＝速度2＝4.827×1027JKm÷(2×1010×9.46×1012Km)=2.551×104J
速度＝(2.551×104J)1/2=1.597×102Km
ダークマターの個数＝軌道エネルギー÷ダークマター1個のエネルギー＝2.551×104J÷(9×4.468×10-18J)＝6.344×1020(個)
・10―14m時代。軌道半径は3×1010光年の場合。
軌道エネルギー＝速度2＝4.827×1027JKm÷(3×1010×9.46×1012Km)=1.701×104J
速度＝(1.701×104J)1/2=1.304×102Km
ダークマターの個数＝軌道エネルギー÷ダークマター1個のエネルギー＝1.701×104J÷(8×4.468×10-18J)＝4.759×1020(個)
・10―14m時代。軌道半径は4×1010光年の場合。
軌道エネルギー＝速度2＝4.827×1027JKm÷(4×1010×9.46×1012Km)=1.276×104J
速度＝(1.276×104J)1/2=1.130×102Km
ダークマターの個数＝軌道エネルギー÷ダークマター1個のエネルギー＝1.276×104J÷(7×4.468×10-18J)＝4.080×1020(個)
・10―14m時代。軌道半径は5×1010光年の場合。
軌道エネルギー＝速度2＝4.827×1027JKm÷(5×1010×9.46×1012Km)=1.021×104J
速度＝(1.021×104J)1/2=1.010×102Km
ダークマターの個数＝軌道エネルギー÷ダークマター1個のエネルギー＝1.021×104J÷(6×4.468×10-18J)＝3.809×1020(個)
・10―14m時代。軌道半径は6×1010光年の場合。
軌道エネルギー＝速度2＝4.827×1027JKm÷(6×1010×9.46×1012Km)=8.504×103J
速度＝(8.504×103J)1/2=9.222×10Km
ダークマターの個数＝軌道エネルギー÷ダークマター1個のエネルギー＝8.504×103J÷(5×4.468×10-18J)＝3.807×1020(個)
・10―14m時代。軌道半径は7×1010光年の場合。
軌道エネルギー＝速度2＝4.827×1027JKm÷(7×1010×9.46×1012Km)=7.289×103J
速度＝(7.289×103J)1/2=8.538×10Km
ダークマターの個数＝軌道エネルギー÷ダークマター1個のエネルギー＝7.289×103J÷(4×4.468×10-18J)＝4.078×1020(個)
・10―14m時代。軌道半径は8×1010光年の場合。
軌道エネルギー＝速度2＝4.827×1027JKm÷(8×1010×9.46×1012Km)=6.378×103J
速度＝(6.378×103J)1/2=7.986×10Km
ダークマターの個数＝軌道エネルギー÷ダークマター1個のエネルギー＝6.378×103J÷(3×4.468×10-18J)＝4.758×1020(個)
・10―14m時代。軌道半径は9×1010光年の場合。
軌道エネルギー＝速度2＝4.827×1027JKm÷(9×1010×9.46×1012Km)=5.669×103J
速度＝(5.669×103J)1/2=7.529×10Km
ダークマターの個数＝軌道エネルギー÷ダークマター1個のエネルギー＝5.669×103J÷(2×4.468×10-18J)＝6.344×1020(個)
・10―13m時代。軌道半径は1011光年の場合。
軌道エネルギー＝速度2＝4.827×1027JKm÷(1011×9.46×1012Km)=5.103×103J
速度＝(5.103×103J)1/2=7.144×10Km
ダークマターの個数＝軌道エネルギー÷ダークマター1個のエネルギー＝5.103×103J÷(4.468×10-18J)＝1.142×1021(個)
・10―13m時代。軌道半径は2×1011光年の場合。
軌道エネルギー＝速度2＝4.827×1027JKm÷(2×1011×9.46×1012Km)=2.551×103J
速度＝(2.551×103J)1/2=1.597×10Km
ダークマターの個数＝軌道エネルギー÷ダークマター1個のエネルギー＝2.551×103J÷(9×4.468×10-19J)＝6.344×1020(個)
この事を表に示す。
・軌道半径が9×10７光年から2×1011光年までの軌道エネルギーと速度とその軌道エネルギーを作るために必要なダークマターの数。(ダークマター1個のエネルギーは軌道半径の拡大に従い減少する場合。)
表７
2015116019.tif 000010
2015116019.tif 000011
・未来の軌道エネルギーと速度とその軌道エネルギーを作るために必要なダークマターの数。(ダークマター1個のエネルギーは軌道半径の拡大に従い減少する場合。)
2015116019.tif 000012
この表により理解できる事。
1．時代が進むにつれて、軌道エネルギーは小さくなる。そして速度は遅くなる。
2．時代が進むにつれて、ダークマター1個のエネルギーは小さくなる。
3．軌道のエネルギー―と同じエネルギーを作るダークマターの数は3.807×1020個から1.142×1021個である。
4．しかし、現代は加速しているのですから、実際はこのようにならないはずです。
１８．    ダークマターの数×ダークマター1個のエネルギーが軌道のエネルギーに成り、ダークマター1個のエネルギーが軌道半径の拡大に従い減少する場合のダークマター数。これを求める一般式はいくらか。
・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
１９．    もし、宇宙の軌道速度が同じであるとすると、ダークマターの数はどのようになるか。
この場合、軌道のエネルギー―と同じエネルギーを作るダークマターの数は3.807×1020個から1.142×1021個であり、不規則であるが、各軌道半径のダークマター1個のエネルギーを軌道が拡大するとダークマター1個のエネルギーは小さくなると考えているので、軌道の速度をダークマターの数では簡単に規定できない。
２０．    軌道半径が108光年から2×1010光年までについて、10am時代、ダークマターの数×ダークマター1個のエネルギーが10a+24光年の軌道エネルギーに成り、ダークマター1個のエネルギーが軌道半径の拡大に従い減少し、ダークマターの数が軌道半径の拡大に従い増加するならば、ダークマターの数はどのようであるか。
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマター1個のエネルギー＝4.468×10-31--aJ=4.468×10-15J
ダークマターの個数＝軌道エネルギー÷ダークマター1個のエネルギー＝5.103×106J÷(4.468×10-15J)＝1.142×1021(個)
・10―16m時代。軌道半径は2×108光年の場合。
ダークマター1個のエネルギー＝9×4.468×10-16J
ダークマターの個数＝5.103×106J÷(9×4.468×10-16J)＝1.269×1021(個)
・10―16m時代。軌道半径は3×108光年の場合。
ダークマター1個のエネルギー＝8×4.468×10-16J
ダークマターの個数＝5.103×106J÷(8×4.468×10-16J)＝1.428×1021(個)
・10―16m時代。軌道半径は4×108光年の場合。
ダークマター1個のエネルギー＝7×4.468×10-16J
ダークマターの個数＝5.103×106J÷(7×4.468×10-16J)＝1.632×1021(個)
・10―16m時代。軌道半径は5×108光年の場合。
ダークマター1個のエネルギー＝6×4.468×10-16J
ダークマターの個数＝5.103×106J÷(6×4.468×10-16J)＝1.904×1021(個)
・10―16m時代。軌道半径は6×108光年の場合。
ダークマター1個のエネルギー＝5×4.468×10-16J
ダークマターの個数＝5.103×106J÷(5×4.468×10-16J)＝2.284×1021(個)
・10―16m時代。軌道半径は7×108光年の場合。
ダークマター1個のエネルギー＝4×4.468×10-16J
ダークマターの個数＝5.103×106J÷(4×4.468×10-16J)＝2.855×1021(個)
・10―16m時代。軌道半径は8×108光年の場合。
ダークマター1個のエネルギー＝3×4.468×10-16J
ダークマターの個数＝5.103×106J÷(3×4.468×10-16J)＝3.807×1021(個)
・10―16m時代。軌道半径は9×108光年の場合。
ダークマター1個のエネルギー＝2×4.468×10-16J
ダークマターの個数＝5.103×106J÷(2×4.468×10-16J)＝5.711×1021(個)
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマター1個のエネルギー＝4.468×10-16J
ダークマターの個数＝軌道エネルギー÷ダークマター1個のエネルギー＝5.103×105J÷(4.468×10-16J)＝1.142×1021(個)
・10―15m時代。軌道半径は2×109光年の場合。
ダークマター1個のエネルギー＝9×4.468×10-17J
ダークマターの数＝5.103×105J÷(9×4.468×10-17J)＝1.269×1021(個)
・10―15m時代。軌道半径は3×109光年の場合。
ダークマター1個のエネルギー＝8×4.468×10-17J
ダークマターの数＝5.103×105J÷(8×4.468×10-17J)＝1.428×1021(個)
・10―15m時代。軌道半径は4×109光年の場合。
ダークマター1個のエネルギー＝7×4.468×10-17J
ダークマターの数＝5.103×105J÷(7×4.468×10-17J)＝1.632×1021(個)
・10―15m時代。軌道半径は5×109光年の場合。
ダークマター1個のエネルギー＝6×4.468×10-17J
ダークマターの数＝5.103×105J÷(6×4.468×10-17J)＝1.904×1021(個)
・10―15m時代。軌道半径は6×109光年の場合。
ダークマター1個のエネルギー＝5×4.468×10-17J
ダークマターの数＝5.103×105J÷(5×4.468×10-17J)＝2.284×1021(個)
・10―15m時代。軌道半径は7×109光年の場合。
ダークマター1個のエネルギー＝4×4.468×10-17J
ダークマターの数＝5.103×105J÷(4×4.468×10-17J)＝2.855×1021(個)
・10―15m時代。軌道半径は8×109光年の場合。
ダークマター1個のエネルギー＝3×4.468×10-17J
ダークマターの数＝5.103×105J÷(3×4.468×10-17J)＝3.807×1021(個)
・10―15m時代。軌道半径は9×109光年の場合。
ダークマター1個のエネルギー＝2×4.468×10-17J
ダークマターの数＝5.103×105J÷(2×4.468×10-17J)＝5.711×1021(個)
・10―14m時代。軌道半径は1010光年の場合。        
軌道エネルギー＝速度2＝4.827×1027JKm÷(1010×9.46×1012Km)=5.103×104J
速度＝(5.103×104J)1/2=2.259×102Km
ダークマター1個のエネルギー＝4.468×10-17J
ダークマターの個数＝軌道エネルギー÷ダークマター1個のエネルギー＝5.103×104J÷(4.468×10-17J)＝1.142×1021(個)
・10―14m時代。軌道半径は1.42×1010光年の場合。
ダークマター1個のエネルギー＝9.58×4.468×10-18J
ダークマターの数＝5.103×104J÷(9.58×4.468×10-18J)＝1.192×1021(個)
・10―14m時代。軌道半径は2×1010光年の場合。
ダークマター1個のエネルギー＝9×4.468×10-18J
ダークマターの数＝5.103×104J÷(9×4.468×10-18J)＝1.269×1021(個)
この事を表に示す。
・軌道半径が109光年から2×1010光年までの、10am時代、ダークマターの数×ダークマター1個のエネルギーが10a+24光年の軌道のエネルギーに成り、ダークマター1個のエネルギーが軌道半径の拡大に従い減少し、ダークマターの数が軌道半径の拡大に従い増加する場合のダークマター数
表８
2015116019.tif 000013
2015116019.tif 000014
この表から理解できる事。
１．軌道エネルギー＝ダークマター1個のエネルギー×ダークマターの数、ですから、軌道エネルギー＝速度2が一定の場合、ダークマター1個のエネルギーとダークマターの数は反比例する。
２１．    10am時代、ダークマターの数×ダークマター1個のエネルギーが軌道半径10a+24光年の軌道エネルギーに成り、ダークマター1個のエネルギーが軌道半径の拡大に従い減少し、ダークマターの数が軌道半径の拡大に従い増加する場合のダークマター数。この場合の一般式はどのようであるか。
・10am時代で、軌道半径がA×10a+24光年の場合。
軌道エネルギー＝4.827×1027JKm÷(10a+24×9.46×1012Km)=5.103×10-10−aJ
ダークマター1個のエネルギー＝(11-A)(4.468×10-32-a)J
ダークマターの数＝5.103×10-10-aJ÷｛(11-A)(4.468×10-32-a)J｝=1.142×1022÷(11-A)
ダークマター1個のエネルギー×ダークマターの数＝(11-A)(4.468×10-32-a)J×1.142×1022÷(11-A)＝5.098×10-10−aJ
２２． ダークマターの数×ダークマター1個のエネルギーが軌道のエネルギーに成り、ダークマター1個のエネルギーが軌道半径の拡大に従い減少し、ダークマターの数が軌道半径の拡大に従い増加する場合のダークマター数。これを求める一般式はいくらか。
・10am時代で、軌道半径がA×10a+24光年の場合。
軌道エネルギー＝4.827×1027JKm÷(A×10a+24×9.46×1012Km)=5.103×10-10−a÷AJ
ダークマター1個のエネルギー＝(11-A)(4.468×10-32-a)J
ダークマターの数＝5.103×10-10-aJ÷A÷｛(11-A)(4.468×10-32-a)J｝=1.142×1022÷A÷(11-A)
ダークマター1個のエネルギー×ダークマターの数＝(11-A)(4.468×10-32-a)J×1.142×1022÷A÷(11-A)＝5.103×10-10−a÷AJ
２３．    2012年1月27日に提出した、特願2012-286352、に於いて、軌道のダークマターの数＝2.740×1025個として計算した。2.740×1025個は、軌道半径の1/5に存在する軌道のダークマターの数です。軌道半径の1/10に存在する軌道のダークマターの数は、2.740×1025個÷2＝1.37×1025個です。それで、このダークマターが軌道エネルギーを作っているとするならば、ダークマターが1秒間に作る電気の光子のエネルギーはいくらか。この場合、ダークマターが1秒間に作る電気の光子のエネルギーをダークマター1個の回転エネルギーとする。
・10―16m時代。軌道半径は108光年の場合。
軌道エネルギー＝速度2＝4.827×1027JKm÷(108×9.46×1012Km)=5.103×106J
速度＝(5.103×106J)1/2=2.259×103Km
ダークマター1個の回転エネルギー＝軌道エネルギー÷ダークマターの個数＝5.103×106J÷(1.37×1025個)＝3.725×10-19J
・10―16m時代。軌道半径は2×108光年の場合。
ダークマター1個の回転エネルギー＝軌道エネルギー÷ダークマターの個数＝5.103×106J÷(1.37×1025個)＝3.725×10-19J
・10―15m時代。軌道半径は109光年の場合。
軌道エネルギー＝速度2＝4.827×1027JKm÷(109×9.46×1012Km)=5.103×105J
速度＝(5.103×105J)1/2=7.144×102Km
ダークマター1個の回転エネルギー＝軌道エネルギー÷ダークマターの個数＝5.103×105J÷(1.37×1025個)＝3.725×10-20J
・10―15m時代。軌道半径は2×109光年の場合。
ダークマター1個の回転エネルギー＝軌道エネルギー÷ダークマターの個数＝5.103×105J÷(1.37×1025個)＝3.725×10-20J
・10―14m時代。軌道半径は1010光年の場合。        
軌道エネルギー＝速度2＝4.827×1027JKm÷(1010×9.46×1012Km)=5.103×104J
速度＝(5.103×104J)1/2=2.259×102Km
ダークマター1個の回転エネルギー＝軌道エネルギー÷ダークマターの個数＝5.103×104J÷(1.37×1025個)＝3.725×10-21J
・10―14m時代。軌道半径は2×1010光年の場合。
ダークマター1個の回転エネルギー＝軌道エネルギー÷ダークマターの個数＝5.103×104J÷(1.37×1025個)＝3.725×10-21J
この一般式は、ダークマター1個の回転エネルギー＝3.725×10-35-aJ、です。
この事を表に示す。
・軌道半径の1/10に存在する軌道のダークマターの数は、2.740×1025個÷2＝1.37×1025個です。それで、このダークマターが軌道エネルギーを作っている場合の、ダークマターが1秒間に作る電気の光子のエネルギー。
表９
2015116019.tif 000015
２４．    ダークマターの回転エネルギーとダークマターのエネルギーの比較。
「請求項8」で、電子のラブが自転して作る磁気の光子のエネルギーと、公転して作る電気の光子のエネルギーは等しい。それ故、ダークマターである電子のラブが自転して作る磁気の光子のエネルギーと、軌道を回転して作る電気の光子のエネルギーは等しいと考えた。そのダークマターのエネルギーは4.468×10-31−aJです。「請求項23」では、軌道半径の1/10に存在する軌道のダークマターの数は、2.740×1025個÷2＝1.37×1025個です。それで、この1.37×1025個のダークマターが軌道エネルギーを作っていると考え、このエネルギーを、ダークマターが1秒間に作る電気の光子のエネルギーとし、ダークマターの回転エネルギーとした。そのダークマターの回転エネルギーは3.725×10-35-aJです。ダークマターの回転エネルギーとダークマターのエネルギーの比較はどのようであるか。
ダークマターの回転エネルギー＝3.725×10-35-aJ。
ダークマターのエネルギー＝4.468×10-31−aJ。
ダークマターのエネルギー÷ダークマターの回転エネルギー＝4.468×10-31−aJ÷(3.725×10-35-aJ)＝1.199×104
ダークマターの回転エネルギー÷ダークマターのエネルギー＝3.725×10-35-aJ÷(4.468×10-31−aJ)＝8.337×10―5
ダークマターのエネルギーはダークマターの回転エネルギーの1.199×104倍です。
ダークマターの回転エネルギーはダークマターのエネルギーの8.337×10―5倍です。
表１０
2015116019.tif 000016
２５．    軌道速度をWKｍとし、軌道の拡大とともにダークマターの数が増加し、ダークマター1個のエネルギーが減少する場合、ダークマターの数とダークマター1個のエネルギーはどのようであるか。
10-15m時代、と10-14m時代の場合を考える。
109光年のダークマター数をｃ個とする。
109光年のダークマター数：2×109光年のダークマター数：3×109光年のダークマター数：4×109光年のダークマター数：5×109光年のダークマター数：6×109光年のダークマター数：7×109光年のダークマター数：8×109光年のダークマター数：9×109光年のダークマター数：1010光年のダークマター数：2×1010光年のダークマター数＝1：2：3：4：5：6：7：8：9：10：11＝ｃ個：2ｃ個：3ｃ個：4ｃ個：5ｃ個：6ｃ個：7ｃ個：8ｃ個：9ｃ個：10ｃ個：11ｃ個
ダークマター1個のエネルギー×ダークマターの数=速度2＝W2    ダークマター1個のエネルギーは、ダークマターの数に反比例する。
109光年のダークマター1個のエネルギー：2×109光年のダークマター1個のエネルギー：3×109光年のダークマター1個のエネルギー：4×109光年のダークマター1個のエネルギー：5×109光年のダークマター1個のエネルギー：6×109光年のダークマター1個のエネルギー：7×109光年のダークマター1個のエネルギー：8×109光年のダークマター1個のエネルギー：9×109光年のダークマター1個のエネルギー：1010光年のダークマター1個のエネルギー：2×1010光年のダークマター1個のエネルギー＝W2÷ｃ：W2÷2ｃ：W2÷3ｃ：W2÷4ｃ：W2÷5ｃ：W2÷6ｃ：W2÷7ｃ：W2÷8ｃ：W2÷9ｃ：W2÷10ｃ：W2÷11ｃ=1：0.5：0.333：0.25：0.2：0.167：0.143：0.125：0.111：0.1：0.091
この事を表に示す。
表１１
2015116019.tif 000017
２６．    軌道速度をWKｍとし、軌道の拡大とともにダークマター1個のエネルギーが減少し、ダークマターの数が増加する場合、ダークマター1個のエネルギーとダークマターの数はどのようであるか。
10-15m時代、と10-14m時代の場合を考える。
109光年のダークマター1個のエネルギーを10ｄJとする。
109光年のダークマター1個のエネルギー：2×109光年のダークマター1個のエネルギー：3×109光年のダークマター1個のエネルギー：4×109光年のダークマター1個のエネルギー：5×109光年のダークマター1個のエネルギー：6×109光年のダークマター1個のエネルギー：7×109光年のダークマター1個のエネルギー：8×109光年のダークマター1個のエネルギー：9×109光年のダークマター1個のエネルギー：1010光年のダークマター1個のエネルギー：2×1010光年のダークマター1個のエネルギー＝10ｄJ：9ｄJ：8ｄJ：7ｄJ：6ｄJ：5ｄJ：4ｄJ：3ｄJ：2ｄJ：ｄJ：0.9ｄJ
ダークマター1個のエネルギー×ダークマターの数=速度2＝W2    ダークマターの数はダークマター1個のエネルギーに反比例する。
109光年のダークマターの数：2×109光年のダークマターの数：3×109光年のダークマターの数：4×109光年のダークマターの数：5×109光年のダークマターの数：6×109光年のダークマターの数：7×109光年のダークマターの数：8×109光年のダークマターの数：9×109光年のダークマターの数：1010光年のダークマターの数：2×1010光年のダークマターの数=W2÷10d：W2÷9d：W2÷8d：W2÷7d：W2÷6d：W2÷5d：W2÷4d：W2÷3d：W2÷2d：W2÷d：W2÷0.9d=0.1：0.111：0.125：0.143：0.167：0.2：1：1.111
この事を表に示す。
表１2
2015116019.tif 000018
・この事により何が理解できるか。
1．宇宙の中央のブラックホールが作る軌道エネルギーに無関係に、宇宙の速度により、ダークマターの数を特定の数にし、ダークマター1個のエネルギーを知ることができる。
2．宇宙の中央のブラックホールが作る軌道エネルギーに無関係に、宇宙の速度により、ダークマター1個のエネルギーを特定の値にし、ダークマターの数を知ることができる。
例えば1010光年の速度が3×102Kmで、軌道半径の1/10に存在する軌道のダークマターの数は、2.740×1025個÷2＝1.37×1025個であるとするとき、ダークマター1個のエネルギーはいくらか。
W＝3×102Km。１0ｃ個＝1.37×1025個。
ダークマター1個のエネルギー＝W2÷10ｃ＝9×104÷(1.37×1025個)＝6.569×10-21J
1010光年の速度が3×102Kmで、ダークマターのの数が1.37×1025個であるとき、ダークマター1個のエネルギーは、6.569×10-21Jです。
○２７から４４までは特願2012-286352の再考です。私はこの時まで、軌道半径を5×107光年と考えていました。
2012年1月27日に提出した、特願2012-286352、に於いて、軌道のダークマターの数＝2.740×1025個として計算した。2.740×1025個は、軌道半径の1/5に存在する軌道のダークマターの数です。これは誤りです。これを訂正します。10am時代の1個のダークマターのエネルギー＝4.468×10-31−aJ、です。これはダークマターが1秒間に作る磁気の光子のエネルギーです。このエネルギーと同じ電気の光子のエネルギーをダークマターは軌道を回転しながら作っていると考えます。それで、電気の光子のエネルギー＝1個のダークマターのエネルギー×ダークマターの数＝速度2＝軌道のエネルギー、です。ダークマターの数＝軌道のエネルギー÷1個のダークマターのエネルギー。このように軌道のダークマターの数を求めます。
２７．    宇宙の軌道の速度を全て、宇宙の軌道エネルギーの式で計算した、107光年の軌道エネルギーとし、速度2とする場合、1個のダークマターのエネルギーとこのダークマターが存在する場の電子のラブの公転軌道はいくらか。宇宙の軌道エネルギーの式で計算する。107光年の軌道エネルギーはいくらか。(これは、特願2012-286352の「請求項6」の再考です)
・宇宙の軌道エネルギーの式で計算する、107光年の軌道エネルギーはいくらか。
宇宙の各軌道の軌道エネルギー＝4.827×1027JKm÷軌道半径＝4.827×1027JKm÷(107×9.64×1012Km)＝5.103×10７J
速度2＝5.103×10７Kmです。
全宇宙の速度2を5.103×10７Jとする。
1個のダークマターのエネルギー＝現代ダークマターが1秒間に作る磁気の光子のエネルギー=4.468×10-31-aJ=4.468×10-31--14J=4.468×10-17J
宇宙の各軌道の軌道エネルギー＝軌道のダークマターの数×1個のダークマターのエネルギー＝軌道のダークマターの数×4.468×10-17J =5.103×10７J
軌道のダークマターの数=5.103×10７J÷(4.468×10-17J)＝1.142×1024個
それで、軌道のダークマターの数を1.142×1024個とする。
２８．    10−10m時代のダークマターが作る軌道の速度はいくらか。(これは、特願2012-286352の「請求項7」の再考です)
10−10mの時代の1個のダークマターのエネルギーは4.468×10−31−aJ＝4.468×10−31−−10J=4.468×10−21J、です。
軌道のエネルギー＝軌道のダークマター数×1個のダークマターのエネルギー＝1.142×1024個×4.468×10−21J＝5.102×103J
速度2＝5.102×103Km
速度＝(5.102×103Km)1/2=7.142×10Km
２９．    10−11m時代のダークマターが作る軌道の速度はいくらか。(これは、特願2012-286352の「請求項8」の再考です)
10−11mの時代の1個のダークマターのエネルギーは4.468×10−31−aJ＝4.468×10−31−−11J=4.468×10−20J、です。
軌道のエネルギー＝軌道のダークマター数×1個のダークマターのエネルギー＝1.142×1024個×4.468×10−20J＝5.102×104J
速度2＝5.102×104Km
速度＝(5.102×104Km)1/2=2.259×102Km
３０．    10−12m時代のダークマターが作る軌道の速度はいくらか。(これは、特願2012-286352の「請求項9」の再考です)
10−12mの時代の1個のダークマターのエネルギーは4.468×10−31−aJ＝4.468×10−31−−12J=4.468×10−19J、です。
軌道のエネルギー＝軌道のダークマター数×1個のダークマターのエネルギー＝1.142×1024個×4.468×10−19J＝5.102×105J
速度2＝5.102×105Km
速度＝(5.102×105Km)1/2=7.143×102Km
３１．    10−13m時代のダークマターが作る軌道の速度はいくらか。(これは、特願2012-286352の「請求項10」の再考です)
10−13mの時代の1個のダークマターのエネルギーは4.468×10−31−aJ＝4.468×10−31−−13J=4.468×10−18J、です。
軌道のエネルギー＝軌道のダークマター数×1個のダークマターのエネルギー＝1.142×1024個×4.468×10−18J＝5.102×106J
速度2＝5.102×106Km
速度＝(5.102×106Km)1/2=2.259×103Km
10−13mの時代のダークマターが作る軌道の速度は2.259×103Kmです。
３２．    10−14m時代のダークマターが作る軌道の速度はいくらか。(これは、特願2012-286352の「請求項11」の再考です)
10−14mの時代の1個のダークマターのエネルギーは4.468×10−31−aJ＝4.468×10−31−−14J=4.468×10−17J、です。
軌道のエネルギー＝軌道のダークマター数×1個のダークマターのエネルギー＝1.142×1024個×4.468×10−17J＝5.102×107J
速度2＝5.102×107Km
速度＝(5.102×107Km)1/2=7.143×103Km
10−14mの時代のダークマターが作る軌道の速度は7.143×102Kmです。
３３．    10−15m時代のダークマターが作る軌道の速度はいくらか。(これは、特願2012-286352の「請求項12」の再考です)
10−15mの時代の1個のダークマターのエネルギーは4.468×10−31−aJ＝4.468×10−31−−15J=4.468×10−16J、です。
軌道のエネルギー＝軌道のダークマター数×1個のダークマターのエネルギー＝1.142×1024個×4.468×10−16J＝5.102×108J
速度2＝5.102×108Km
速度＝(5.102×108Km)1/2=2.259×104Km
10−15mの時代のダークマターが作る軌道の速度は7.143×104Kmです。
３４．    10−16m時代のダークマターが作る軌道の速度はいくらか。(これは、特願2012-286352の「請求項13」の再考です)
10−16mの時代の1個のダークマターのエネルギーは4.468×10−31−aJ＝4.468×10−31−−16J=4.468×10−15J、です。
軌道のエネルギー＝軌道のダークマター数×1個のダークマターのエネルギー＝1.142×1024個×4.468×10−15J＝5.102×109J
速度2＝5.102×109Km
速度＝(5.102×109Km)1/2=7.143×104Km
10−16mの時代のダークマターが作る軌道の速度は7.143×104Kmです。
３５．    軌道の速度が光速である、3×105Kmである場は10amの値はいくらか。(これは、特願2012-286352の「請求項14」の再考です)
速度＝3×105Km
速度2＝9×1010Km
軌道エネルギー＝9×1010J＝軌道のダークマターの数×1個のダークマターのエネルギー＝1.142×1024個×1個のダークマターのエネルギー
1個のダークマターのエネルギー＝9×1010J÷(1.142.×1024個)＝7.881×10−14J
4.468×10−31−aJ＝7.881×10−14J
10−a=7.881×10−14J÷(4.468×10−31)＝1.764×1017＝1017．2.465
10a=10-17，2465=10-18+0.7535=10-18×5.670
よって、この場は、5.670×10−18mの場です。
電子のラブの公転軌道が5.670×10−18mの場では、軌道の回転速度は光速です。
３６．    10−17m時代のダークマターが作る軌道の速度はいくらか。(これは、特願2012-286352の「請求項15」の再考です)
10−17mの時代の1個のダークマターのエネルギーは4.468×10−31−aJ＝4.468×10−31−−17J=4.468×10−14J、です。
軌道のエネルギー＝軌道のダークマター数×1個のダークマターのエネルギー＝1.142×1024個×4.468×10−14J＝5.102×1010J
速度2＝5.102×1010Km
速度＝(5.102×1010Km)1/2=2.259×105Km
10−17mの時代のダークマターが作る軌道の速度は2.259×105Kmです。
３７．    10−18m時代のダークマターが作る軌道の速度はいくらか。(これは、特願2012-286352の「請求項16」の再考です)
10−18mの時代の1個のダークマターのエネルギーは4.468×10−31−aJ＝4.468×10−31−−18J=4.468×10−13J、です。
軌道のエネルギー＝軌道のダークマター数×1個のダークマターのエネルギー＝1.142×1024個×4.468×10−13J＝5.102×1011J
速度2＝5.102×1011Km
速度＝(5.102×1011Km)1/2=7.143×105Km
10−18mの時代のダークマターが作る軌道の速度は7.143×105Kmです。
３８．    光速の2条の速さになる時代は何時か。(これは、特願2012-286352の「請求項17」の再考です)
速度＝9×1010Km
速度2＝81×1020Km
軌道のエネルギー＝81×1020J＝軌道のダークマター数×1個のダークマターのエネルギー＝1.142×1024個×1個のダークマターのエネルギー
1個のダークマターのエネルギー＝81×1020J÷(1.142×1024個)＝7.093×10−3J
4.468×10−31−aJ＝7.093×10−3J
10−a＝7.093×10−3J÷(4.468×10−31)＝1.588×1028＝1028.2009
10a=10-28.2009=10-29+0.7991=10-29×6.296
よって、この場は、6.296×10−29mの時代です。
３９．    現代、宇宙の速度をWとする。この場合1個のダークマターのエネルギーはいくらか。(これは、特願2012-286352の「請求項18」の再考です)
軌道のエネルギー＝軌道のダークマター数×1個のダークマターのエネルギー＝1.142×1024個×1個のダークマターのエネルギー＝W2
1個のダークマターのエネルギー＝W2÷(1.142×1024個)＝W2×8.757×10−25(J)
現代、宇宙の速度をWとする。この場合1個のダークマターのエネルギーは、W2×8.757×10−25Jです。
４０．    現代、宇宙の速度をWとする。この場の10aはいくらか。(これは、特願2012-286352の「請求項19」の再考です)
1個のダークマターのエネルギー＝4.468×10−31−aJ＝W2×8.757×10−25J
10-a= W2×8.757×10−25J÷(4.468×10−31)＝W2×1.960×106
a＝−Log( W2×1.960×106)
この事によって理解できること。
宇宙の速度が大きい場(時代)は、10-aは小さいので、昔の時代であり、高エネルギーの時代です。
・例えば、宇宙の速度が、103Kmである場合。
1個のダークマターのエネルギー＝W2×8.757×10−25J＝106×8.757×10−25J=8.757×10−19J
この場の10−a=106×1.960×106＝1012．2923
10a=10-12.2923=10-13+0.7077=10-13×5.101
この場は5.101×10−13mの場です。この場は電子のラブの公転軌道が5.101×10−13mの場です。
・このように、10amの表現は時代を表現する場合と場のエネルギーを表現する場合に用いられる。
この事を表に示す。
表１３
2015116019.tif 000019
４１．    半径107光年の軌道のダークマターの数：半径2×107光年の軌道のダークマターの数：半径3×107光年の軌道のダークマターの数：半径4×107光年の軌道のダークマターの数：半径5×107光年の軌道のダークマターの数＝１：２：３：４：５、とした場合、各々の軌道のダークマター1個のエネルギーはどのようであるか。(これは、特願2012-286352の「請求項31」の再考です)
半径107光年の軌道のダークマターの数：半径2×107光年の軌道のダークマターの数：半径3×107光年の軌道のダークマターの数：半径4×107光年の軌道のダークマターの数：半径5×107光年の軌道のダークマターの数＝１：２：３：４：５
半径107光年の軌道のダークマターの数＝1.142×1024個÷(1＋2＋3＋4＋5)＝1.142×1024個÷15＝7.613×1022個
半径2×107光年の軌道のダークマターの数＝1.142×1024個÷(1＋2＋3＋4＋5)×2＝1.142×1024個÷15×2＝1.523×1023個
半径3×107光年の軌道のダークマターの数＝1.142×1024個÷(1＋2＋3＋4＋5)×3＝1.142×1024個÷15×3＝2.284×1023個
半径4×107光年の軌道のダークマターの数＝1.142×1024個÷(1＋2＋3＋4＋5)×4＝1.390×1026個÷15×4＝3.045×1023個
半径5×107光年の軌道のダークマターの数＝1.142×1024個÷(1＋2＋3＋4＋5)×5＝1.390×1026個÷15×5＝3.807×1023個
・各々の軌道のダークマター1個のエネルギーはいくらか。
軌道のダークマター１個のエネルギー＝速度2÷軌道のダークマターの数
半径107光年の軌道のダークマター1個のエネルギー＝W2÷(7.613×1022個)＝W2×1.314×10-23J
半径2×107光年の軌道の、ダークマター１個のエネルギー＝W2÷(1.523×1023個)＝W2×6.566×10-24J
半径3×107光年の軌道の、ダークマター１個のエネルギー＝W2÷(2.284×1023個)＝W2×4.378×10-24J
半径4×107光年の軌道の、ダークマター１個のエネルギー＝W2÷(3.045×1025個)＝W2×3.284×10-24J
半径5×107光年の軌道の、ダークマター１個のエネルギー＝W2÷(3.807×1023個)＝W2×2.626×10-24J
・各々の軌道のダークマターのエネルギーの比はいくらか。
W2×1.314×10-23J：W2×6.566×10-24J：W2×4.378×10-24J：W2×3.284×10-24J：W2×2.626×10-24J
=5.004：2.500：1.667：1.251：１
半径107光年の軌道の、ダークマター１個のエネルギー：半径2×107光年の軌道の、ダークマター１個のエネルギー：半径3×107光年の軌道の、ダークマター１個のエネルギー：半径4×107光年の軌道の、ダークマター１半径個のエネルギー：半径5×107光年の軌道の、ダークマター１個のエネルギー＝5.004：2.500：1.667：1.251：１
・軌道のエネルギー＝ダークマターの数×ダークマター1個のエネルギー＝速度2=一定。このことが意味することは、何か。
軌道のエネルギー＝ダークマターの数×ダークマター1個のエネルギー＝速度2=一定
この事が意味することは、速度が一定の場合、ダークマターの数とダークマター1個のエネルギーは反比例することです。
この事が意味することは、ダークマターの数の比×ダークマター1個のエネルギーの比＝一定、です。
・各々の軌道のダークマターの数の比×ダークマター１個のエネルギーの比はどのようであるか。
半径107光年の軌道の場合。
ダークマターの数の比×ダークマター１個のエネルギーの比＝1×5.004=5.004
半径2×107光年の軌道の場合。
ダークマターの数の比×ダークマター１個のエネルギーの比＝2×2.500=5.000
半径3×107光年の軌道の場合。
ダークマターの数の比×ダークマター１個のエネルギーの比＝3×1.667=5.001
半径4×107光年の軌道の場合。
ダークマターの数の比×ダークマター１個のエネルギーの比＝4×1.251=5.004
半径5×107光年の軌道の場合。
ダークマターの数の比×ダークマター１個のエネルギーの比＝5×1=5
このように、ダークマターの数の比×ダークマター1個のエネルギーの比＝一定、です。
このことを表に示す。
表１４
2015116019.tif 000020
４２．    半径107光年の軌道のダークマター1個のエネルギー：半径2×107光年の軌道のダークマター1個のエネルギー：半径3×107光年の軌道のダークマター1個のエネルギー：半径4×107光年の軌道のダークマター1個のエネルギー：半径5×107光年の軌道のダークマター1個のエネルギー＝５：４：３：２：１とする場合、ダークマター1個のエネルギーと、軌道のダークマターの数はいくらか。(これは、特願2012-286352の「請求項32」の再考です)
宇宙の軌道が中央のブラックホールに近いほど高エネルギーの場です。
それで、半径107Kmの軌道のダークマター1個のエネルギー：半径2×107光年の軌道のダークマター1個のエネルギー：半径3×107光年の軌道のダークマター1個のエネルギー：半径4×107光年の軌道のダークマター1個のエネルギー：軌道半径107光年のダークマター1個のエネルギー＝５：４：３：２：１とする。
・半径107光年の軌道のダークマター1個のエネルギーは、W2×1.314×10-23J
で、半径5×107光年の軌道のダークマター1個のエネルギーはW2×2.626×10-24J 、です。この比は、5.004：１です。
それで、ダークマターの1個のエネルギーの比を、５：４：３：２：１とする場合のダークマター1個のエネルギーはいくらか。
半径107光年のダークマター1個のエネルギー＝W2×1.314×10-23J
半径2×107光年の軌道のダークマター1個のエネルギー＝W2×2.626×10-24J ×4＝W2×1.050×10-23J
半径3×107光年の軌道のダークマター1個のエネルギー＝W2×2.626×10-24J×3＝W2×7.878×10-24J
半径4×107光年の軌道のダークマター1個のエネルギー＝W2×2.626×10-24J×2＝W2×5.252×10-24J
半径5×107光年の軌道のダークマター1個のエネルギー＝W2×2.626×10-24J
・軌道のダークマターの数はいくらか。
軌道のダークマターの数=速度2÷軌道のダークマター1個のエネルギー
半径107光年の軌道ダークマターの数＝W2÷(W2×1.314×10-23J)＝7.610×1022(個)
半径2×107光年の軌道のダークマターの数＝W2÷(W2×1.050×10-23J)＝9.524×1022(個) 
半径3×107光年の軌道のダークマターの数＝W2÷(W2×7.878×10-24J )＝1.269 ×1023(個)
半径4×107光年の軌道のダークマターの数＝W2÷(W2×5.252×10-24J)＝1.904×1023(個)
半径5×107光年の軌道のダークマターの数＝W2÷(W2×2.626×10-24J )＝3.808×1023(個)
・軌道のダークマターの数の比はいくらか。
7.610×1022個：9.524×1022個：1.269×1023個：1.904×1023個：3.808×1023個＝１：1.252：1.668：2.502：5.004
・各々の軌道のダークマター1個のエネルギーの比×ダークマターの数の比はどのようであるか。
5×1：4×1.252：3×1.668：2×2.502：1×5004=5：5.008：5.004：5.004：5.004
このことを表に示す。
表１5
2015116019.tif 000021
ダークマター1個のエネルギーとは、1個のダークマターが1秒間に作る光子のエネルギーです。
この事によって何が理解できるか。
１．この表があると、ほとんどすべての軌道のダークマター1個のエネルギーとダークマターの数が理解できる。
宇宙のどこまでも速度が同じ場合、軌道の速度がWKmの場合、半径3×10７光年の軌道のダークマター1個のエネルギーはW2×7.878×10-24J
である。半径5×107光年の軌道のダークマター1個のエネルギーはその1/3で、W2×2.626×10-24J です。半径4.5×107光年の軌道のダークマター1個のエネルギーはその1.5/3=1/2のエネルギーです。
４３．    宇宙の速度を3×１０２Kmであるとする場合、各々の軌道のダークマターの数と、ダークマター1個のエネルギーはいくらか。各々の軌道のダークマターの数を１：２：３：４：５とする。(これは、特願2012-286352の「請求項33」の再考です)
・半径１０７光年の軌道のダークマターの数は7.613×1022個です。
速度２＝軌道のエネルギー＝ダークマターの数×ダークマター１個のエネルギー＝7.613×1022個×ダークマター１個のエネルギー＝(３×１０２Km)２
ダークマター１個のエネルギー＝９×１０４÷(7.613×1022個)＝1.182×10-18J
半径１０７光年の軌道のダークマターの数は7.613×1022個で、ダークマター1個のエネルギーは1.182×10-18Jです。
・半径2×107光年の軌道のダークマター数は1.523×1023個です。
速度２＝軌道のエネルギー＝ダークマターの数×ダークマター１個のエネルギー＝1.523×1023個×ダークマター１個のエネルギー＝(３×１０２Km)２
ダークマター１個のエネルギー＝９×１０４÷(1.523×1023個)=5.909×10-19J
半径2×１０７光年の軌道のダークマターの数は1.523×1023個で、ダークマター1個のエネルギーは5.909×10-19Jです。
・半径3×107光年の軌道のダークマター数は2.284×1023個です。
速度２＝軌道のエネルギー＝ダークマターの数×ダークマター１個のエネルギー＝2.284×1023個×ダークマター１個のエネルギー＝(３×１０２Km)２
ダークマター１個のエネルギー＝９×１０４÷(2.284×1023個)＝3.940×10-19J
半径3×１０７光年の軌道のダークマターの数は2.284×1023個で、ダークマター1個のエネルギーは3.940×10-19Jです。
・半径4×107光年の軌道のダークマター数は3.045×1023個です。
速度２＝軌道のエネルギー＝ダークマターの数×ダークマター１個のエネルギー＝3.045×1023個×ダークマター１個のエネルギー＝(３×１０２Km)２
ダークマター１個のエネルギー＝９×１０４÷(3.045×1023個)＝2.956×10-19J
半径4×１０７光年の軌道のダークマターの数は3.045×1023個で、ダークマター1個のエネルギーは2.956×10-19Jです。
・半径5×107光年の軌道のダークマター数は3.807×1023個です。
速度２＝軌道のエネルギー＝ダークマターの数×ダークマター１個のエネルギー＝3.807×1023個×ダークマター１個のエネルギー＝(３×１０２Km)２
ダークマター１個のエネルギー＝9×10４÷(3.807×1023個)＝2.364×10-19J
半径5×１０７光年の軌道のダークマターの数は3.807×1023個で、ダークマター1個のエネルギーは2.364×10-19Jです。
このことを表に示す。
表１6
2015116019.tif 000022
４４．    宇宙の速度を３×１０２Kmであるとする場合、各々の軌道のダークマターの数と、ダークマター1個のエネルギーはいくらか。各々の軌道のダークマター1個のエネルギーを5：4：3：2:1とする。(これは、特願2012-286352の「請求項34」の再考です)
宇宙の速度=3×102Km。宇宙の速度2=9×104Km。軌道エネルギー＝9×104J
各々の軌道のダークマター1個のエネルギーを5：4：3：2:1とするので、
半径107光年の軌道のダークマター1個のエネルギー＝W2×1.314×10-23J＝9×104×1.314×10-23J＝1.183×10-18J。
半径2×107光年の軌道のダークマター1個のエネルギー＝1.183×10-18J×0.8＝9.464×10-19J
半径3×107光年の軌道のダークマター1個のエネルギー＝1.183×10-18J×0.6＝7.098×10-19J
半径4×107光年の軌道のダークマター1個のエネルギー＝1.183×10-18J×0.4＝4.732×10-19J
半径5×107光年の軌道のダークマター1個のエネルギー＝1.183×10-18J×0.2＝2.366×10-19J
各々の軌道のダークマターの数
軌道のダークマターの数＝速度2÷軌道のダークマター1個のエネルギー
半径107光年の軌道のダークマターの数＝9×104J÷(1.183×10-18J)＝7.608×1022(個)
半径2×107光年の軌道のダークマターの数＝9×104J÷(9.464×10-19J)＝9.510×1022(個)
半径3×107光年の軌道のダークマターの数＝9×104J÷(7.098×10-19J )＝1.268×1023(個)
半径4×107光年の軌道のダークマターの数＝9×104J÷(4.732×10-19J)＝1.902×1023(個)
半径5×107光年の軌道のダークマターの数＝9×104J÷(2.366×10-19J)＝3.804×1025(個)
表１７
2015116019.tif 000023
【産業上の利用可能性】
【０００９】
産業に必要なことは、考える事です。宇宙について考える事も考える事ですから、この考える事は産業に必要な事です。
【符号の説明】
【００１０】
１    電子のラブや陽子のラブの軌道
２    ダークマターの軌道
【図１】
2015116019.tif 000040